(57)【要約】【課題】効率的なビーム選択と端末装置の消費電力の低減とを両立させることが可能な仕組みを提供する。【解決手段】複数のアンテナにより形成される予め設定された複数の第１のビームを使用して送信した複数の第１の参照信号の受信結果に基づいて選択された、端末装置との通信に適する第１のビームの照射範囲を細分化した照射範囲を有する複数の第２のビームを使用して送信又は受信した、複数の第２の参照信号の受信結果に基づいて前記端末装置との通信に適する前記第２のビームを選択する選択部と、前記第１の参照信号のための複数の前記第１のビームに対応する複数の第１のリソースと前記第２の参照信号のための複数の前記第２のビームに対応する複数の第２のリソースとの配置関係を示す情報を前記端末装置に通知する通知部と、を備える基地局。【選択図】図１
2018107613.tif 000002
【特許請求の範囲】
【請求項１】
複数のアンテナにより形成される予め設定された複数の第１のビームを使用して送信した複数の第１の参照信号の受信結果に基づいて選択された、端末装置との通信に適する第１のビームの照射範囲を細分化した照射範囲を有する複数の第２のビームを使用して送信又は受信した、複数の第２の参照信号の受信結果に基づいて前記端末装置との通信に適する前記第２のビームを選択する選択部と、
前記第１の参照信号のための複数の前記第１のビームに対応する複数の第１のリソースと前記第２の参照信号のための複数の前記第２のビームに対応する複数の第２のリソースとの配置関係を示す情報を前記端末装置に通知する通知部と、
を備える基地局。
【請求項２】
前記選択部は、複数の前記第１のビームの各々を使用して前記第１の参照信号を送信し、前記端末装置から報告された前記第１の参照信号の受信結果を示す第１の報告情報に基づいて前記第１のビームを選択し、選択した前記第１のビームの照射範囲を細分化した照射範囲を有する複数の前記第２のビームの各々を使用して前記第２の参照信号を送信し、前記端末装置から報告された前記第２の参照信号の受信結果を示す第２の報告情報に基づいて前記第２のビームを選択する、請求項１に記載の基地局。
【請求項３】
前記選択部は、複数の前記第１のビームの各々を使用して前記第１の参照信号を送信し、複数の前記第１のビームの各々の照射範囲を細分化した照射範囲を有する複数の前記第２のビームの各々を使用して前記第２の参照信号を送信し、前記端末装置から報告された前記第２の参照信号の受信結果を示す第２の報告情報に基づいて前記第２のビームを選択する、請求項１に記載の基地局。
【請求項４】
前記第１のリソースよりも後の時間リソースにおいて当該第１のリソースに対応する前記第１のビームの照射範囲を細分化した照射範囲を有する複数の前記第２のビームに対応する複数の前記第２のリソースが配置される、請求項１に記載の基地局。
【請求項５】
全ての前記第１のリソースよりも後の時間リソースにおいて全ての前記第２のリソースが配置される、請求項１に記載の基地局。
【請求項６】
前記第１のビームの照射範囲の細分化する照射範囲を有する前記第２のビームの数は可変である、請求項１に記載の基地局。
【請求項７】
前記選択部は、複数の前記第１のビームの各々を使用して前記第１の参照信号を送信し、前記端末装置から報告された前記第１の参照信号の受信結果を示す第１の報告情報に基づいて前記第１のビームを選択し、前記端末装置から送信された前記第２の参照信号を、選択した前記第１のビームの照射範囲を細分化した照射範囲を有する複数の前記第２のビームの各々を使用して第２のリソースにおいて受信し、受信結果に基づいて前記第２のビームを選択する、請求項１に記載の基地局。
【請求項８】
前記選択部は、前記第２のリソースを示す情報を隣接基地局に通知し、前記第２のリソースにおいて前記第２の参照信号を受信する、請求項７に記載の基地局。
【請求項９】
前記選択部は、前記端末装置のサービング基地局の第２のリソースにおいて前記第２の参照信号を受信する、請求項７に記載の基地局。
【請求項１０】
前記選択部は、前記第１のリソース及び前記第２のリソースを、他の基地局の前記第１のリソース及び前記第２のリソースと時間方向で又は周波数方向で多重する、請求項７に記載の基地局。
【請求項１１】
前記第２のリソースの配置は、前記端末装置に個別に設定される、請求項７に記載の基地局。
【請求項１２】
前記第２のリソースは、ひとつの前記第２のビームに対して複数設けられる、請求項７に記載の基地局。
【請求項１３】
端末装置であって、
複数のアンテナにより形成される予め設定された複数の第１のビームを使用して送信した複数の第１の参照信号の受信結果に基づいて選択された、前記端末装置との通信に適する第１のビームの照射範囲を細分化した照射範囲を有する複数の第２のビームを使用して送信又は受信した、複数の第２の参照信号の受信結果に基づいて前記端末装置との通信に適する前記第２のビームを選択する基地局から、前記第１の参照信号のための複数の前記第１のビームに対応する複数の第１のリソースと前記第２の参照信号のための複数の前記第２のビームに対応する複数の第２のリソースとの配置関係を示す情報を取得する取得部と、
前記配置関係を示す情報に基づいて前記基地局による前記第２のビームの選択を支援するための処理を行う選択支援部と、
を備える端末装置。
【請求項１４】
前記選択支援部は、前記配置関係を示す情報を参照して、選択された前記第１のビームの照射範囲を細分化した照射範囲を有する複数の前記第２のビームに対応する複数の前記第２のリソースにおいて前記第２の参照信号を受信し、前記第２の参照信号の受信結果を示す第２の報告情報を前記基地局に報告する、請求項１３に記載の端末装置。
【請求項１５】
前記選択支援部は、前記第１の参照信号の受信結果を示す第１の報告情報を前記基地局に報告する、請求項１４に記載の端末装置。
【請求項１６】
前記選択支援部は、前記配置関係を示す情報を参照して、サービング基地局により選択された前記第１のビームの照射範囲を細分化した照射範囲を有する複数の前記第２のビームに対応する複数の前記第２のリソースにおいて前記第２の参照信号を送信する、請求項１３に記載の端末装置。
【請求項１７】
複数のアンテナにより形成される予め設定された複数の第１のビームを使用して送信した複数の第１の参照信号の受信結果に基づいて選択された、端末装置との通信に適する第１のビームの照射範囲を細分化した照射範囲を有する複数の第２のビームを使用して送信又は受信した、複数の第２の参照信号の受信結果に基づいて前記端末装置との通信に適する前記第２のビームを選択することと、
前記第１の参照信号のための複数の前記第１のビームに対応する複数の第１のリソースと前記第２の参照信号のための複数の前記第２のビームに対応する複数の第２のリソースとの配置関係を示す情報を前記端末装置に通知することと、
を含むプロセッサにより実行される方法。
【請求項１８】
複数のアンテナにより形成される予め設定された複数の第１のビームを使用して送信した複数の第１の参照信号の受信結果に基づいて選択された、端末装置との通信に適する第１のビームの照射範囲を細分化した照射範囲を有する複数の第２のビームを使用して送信又は受信した、複数の第２の参照信号の受信結果に基づいて前記端末装置との通信に適する前記第２のビームを選択する基地局から、前記第１の参照信号のための複数の前記第１のビームに対応する複数の第１のリソースと前記第２の参照信号のための複数の前記第２のビームに対応する複数の第２のリソースとの配置関係を示す情報を取得することと、
前記配置関係を示す情報に基づいて前記基地局による前記第２のビームの選択を支援するための処理を行うことと、
を含むプロセッサにより実行される方法。
【請求項１９】
コンピュータを、
複数のアンテナにより形成される予め設定された複数の第１のビームを使用して送信した複数の第１の参照信号の受信結果に基づいて選択された、端末装置との通信に適する第１のビームの照射範囲を細分化した照射範囲を有する複数の第２のビームを使用して送信又は受信した、複数の第２の参照信号の受信結果に基づいて前記端末装置との通信に適する前記第２のビームを選択する選択部と、
前記第１の参照信号のための複数の前記第１のビームに対応する複数の第１のリソースと前記第２の参照信号のための複数の前記第２のビームに対応する複数の第２のリソースとの配置関係を示す情報を前記端末装置に通知する通知部と、
として機能させるためのプログラムが記録された記録媒体。
【請求項２０】
コンピュータを、
複数のアンテナにより形成される予め設定された複数の第１のビームを使用して送信した複数の第１の参照信号の受信結果に基づいて選択された、端末装置との通信に適する第１のビームの照射範囲を細分化した照射範囲を有する複数の第２のビームを使用して送信又は受信した、複数の第２の参照信号の受信結果に基づいて前記端末装置との通信に適する前記第２のビームを選択する基地局から、前記第１の参照信号のための複数の前記第１のビームに対応する複数の第１のリソースと前記第２の参照信号のための複数の前記第２のビームに対応する複数の第２のリソースとの配置関係を示す情報を取得する取得部と、
前記配置関係を示す情報に基づいて前記基地局による前記第２のビームの選択を支援するための処理を行う選択支援部と、
として機能させるためのプログラムが記録された記録媒体。
【発明の詳細な説明】
【技術分野】
【０００１】
本開示は、基地局、端末装置、方法及び記録媒体に関する。
【背景技術】
【０００２】
近年、３ＧＰＰ（Third  Generation  Partnership  Project）において、次世代の通信規格である５Ｇについて議論されている。５Ｇを構成する通信技術は、ＮＲ（New  Radio  Access  Technology）とも称される。
【０００３】
ＮＲを構成する技術のひとつに、ＭＩＭＯ（multiple-input  and  multiple-output）がある。ＭＩＭＯとは、複数のアンテナを利用してビームフォーミングを行う技術であり、３次元方向にビームフォーミング可能な３Ｄ（又はFull  Dimension）−ＭＩＭＯ、多数のアンテナを利用するＭａｓｓｉｖｅ−ＭＩＭＯ等がある。ＭＩＭＯにおいては、端末装置にとって適切なビームを選択する、ビームアソシエーション技術の向上が求められている。
【０００４】
例えば、下記非特許文献１では、ラフな（rough）ビームでのビームスィーピングと正確な（accurate）ビームでのビームスィーピングとの、段階的なビームスィーピングを行ってビーム選択を行う技術が開示されている。
【先行技術文献】
【非特許文献】
【０００５】
【非特許文献１】ＣＡＴＴ、“Design  of  beam  training”、[online]、２０１６年１０月、3GPP  TDocs  (written  contributions)  at  meeting、Meeting:  R1−86b  −  2016−10−10  to  2016−10−14,  Lisbon、[平成２８年１２月７日検索]、インターネット<URL:http://www.3gpp.org/ftp/TSG_RAN/WG1_RL1/TSGR1_86b/Docs/R1-1608774.zip>
【発明の概要】
【発明が解決しようとする課題】
【０００６】
しかし、上記非特許文献で開示された技術は、効率的なビーム選択が可能ではあるものの、端末装置の消費電力に関する検討は十分ではなかった。
【０００７】
そこで、本開示では、効率的なビーム選択と端末装置の消費電力の低減とを両立させることが可能な仕組みを提案する。
【課題を解決するための手段】
【０００８】
本開示によれば、複数のアンテナにより形成される予め設定された複数の第１のビームを使用して送信した複数の第１の参照信号の受信結果に基づいて選択された、端末装置との通信に適する第１のビームの照射範囲を細分化した照射範囲を有する複数の第２のビームを使用して送信又は受信した、複数の第２の参照信号の受信結果に基づいて前記端末装置との通信に適する前記第２のビームを選択する選択部と、前記第１の参照信号のための複数の前記第１のビームに対応する複数の第１のリソースと前記第２の参照信号のための複数の前記第２のビームに対応する複数の第２のリソースとの配置関係を示す情報を前記端末装置に通知する通知部と、を備える基地局が提供される。
【０００９】
また、本開示によれば、端末装置であって、複数のアンテナにより形成される予め設定された複数の第１のビームを使用して送信した複数の第１の参照信号の受信結果に基づいて選択された、前記端末装置との通信に適する第１のビームの照射範囲を細分化した照射範囲を有する複数の第２のビームを使用して送信又は受信した、複数の第２の参照信号の受信結果に基づいて前記端末装置との通信に適する前記第２のビームを選択する基地局から、前記第１の参照信号のための複数の前記第１のビームに対応する複数の第１のリソースと前記第２の参照信号のための複数の前記第２のビームに対応する複数の第２のリソースとの配置関係を示す情報を取得する取得部と、前記配置関係を示す情報に基づいて前記基地局による前記第２のビームの選択を支援するための処理を行う選択支援部と、を備える端末装置が提供される。
【００１０】
また、本開示によれば、複数のアンテナにより形成される予め設定された複数の第１のビームを使用して送信した複数の第１の参照信号の受信結果に基づいて選択された、端末装置との通信に適する第１のビームの照射範囲を細分化した照射範囲を有する複数の第２のビームを使用して送信又は受信した、複数の第２の参照信号の受信結果に基づいて前記端末装置との通信に適する前記第２のビームを選択することと、前記第１の参照信号のための複数の前記第１のビームに対応する複数の第１のリソースと前記第２の参照信号のための複数の前記第２のビームに対応する複数の第２のリソースとの配置関係を示す情報を前記端末装置に通知することと、を含むプロセッサにより実行される方法が提供される。
【００１１】
また、本開示によれば、複数のアンテナにより形成される予め設定された複数の第１のビームを使用して送信した複数の第１の参照信号の受信結果に基づいて選択された、端末装置との通信に適する第１のビームの照射範囲を細分化した照射範囲を有する複数の第２のビームを使用して送信又は受信した、複数の第２の参照信号の受信結果に基づいて前記端末装置との通信に適する前記第２のビームを選択する基地局から、前記第１の参照信号のための複数の前記第１のビームに対応する複数の第１のリソースと前記第２の参照信号のための複数の前記第２のビームに対応する複数の第２のリソースとの配置関係を示す情報を取得することと、前記配置関係を示す情報に基づいて前記基地局による前記第２のビームの選択を支援するための処理を行うことと、を含むプロセッサにより実行される方法が提供される。
【００１２】
また、本開示によれば、コンピュータを、複数のアンテナにより形成される予め設定された複数の第１のビームを使用して送信した複数の第１の参照信号の受信結果に基づいて選択された、端末装置との通信に適する第１のビームの照射範囲を細分化した照射範囲を有する複数の第２のビームを使用して送信又は受信した、複数の第２の参照信号の受信結果に基づいて前記端末装置との通信に適する前記第２のビームを選択する選択部と、前記第１の参照信号のための複数の前記第１のビームに対応する複数の第１のリソースと前記第２の参照信号のための複数の前記第２のビームに対応する複数の第２のリソースとの配置関係を示す情報を前記端末装置に通知する通知部と、として機能させるためのプログラムが記録された記録媒体が提供される。
【００１３】
また、本開示によれば、コンピュータを、複数のアンテナにより形成される予め設定された複数の第１のビームを使用して送信した複数の第１の参照信号の受信結果に基づいて選択された、端末装置との通信に適する第１のビームの照射範囲を細分化した照射範囲を有する複数の第２のビームを使用して送信又は受信した、複数の第２の参照信号の受信結果に基づいて前記端末装置との通信に適する前記第２のビームを選択する基地局から、前記第１の参照信号のための複数の前記第１のビームに対応する複数の第１のリソースと前記第２の参照信号のための複数の前記第２のビームに対応する複数の第２のリソースとの配置関係を示す情報を取得する取得部と、前記配置関係を示す情報に基づいて前記基地局による前記第２のビームの選択を支援するための処理を行う選択支援部と、として機能させるためのプログラムが記録された記録媒体が提供される。
【００１４】
本開示によれば、基地局は、段階的なビームアソシエーションを行うことで効率的なビーム選択を可能にする。さらに、端末装置は、基地局における第２のビーム選択を支援するための処理を、第１のリソースと第２のリソースとの配置関係を示す情報に基づいて行うことで、自身の消費電力を低減することが可能である。
【発明の効果】
【００１５】
以上説明したように本開示によれば、効率的なビーム選択と端末装置の消費電力の低減とを両立させることが可能な仕組みが提供される。なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１６】
【図１】本開示の一実施形態に係るシステムの全体構成の一例を示す図である。
【図２】ビームフォーミングを行うための通信機のアーキテクチャの一例を示す図である。
【図３】ビームフォーミングを行うための通信機のアーキテクチャの一例を示す図である。
【図４】第１のビームを用いたビームスィーピングの一例を示す図である。
【図５】第２のビームを用いたビームスィーピングの一例を示す図である。
【図６】第１のビームの照射範囲の一例を説明するための図である。
【図７】第２のビームの照射範囲の一例を説明するための図である。
【図８】複数の基地局によるビームアソシエーションの一例を説明するための図である。
【図９】典型的なビームアソシエーション処理の流れの一例を示すシーケンス図である。
【図１０】典型的なビームアソシエーション処理の流れの一例を示すシーケンス図である。
【図１１】本実施形態に係る基地局の構成の一例を示すブロック図である。
【図１２】本実施形態に係る端末装置の構成の一例を示すブロック図である。
【図１３】第１の実施形態に係るリソース設定の一例を説明するための図である。
【図１４】同実施形態に係るリソース設定の一例を説明するための図である。
【図１５】同実施形態に係るリソース設定の一例を説明するための図である。
【図１６】同実施形態に係るシステムにおいて実行されるビームアソシエーション処理の流れの一例を示すシーケンス図である。
【図１７】同実施形態に係るリソース設定の一例を説明するための図である。
【図１８】同実施形態に係るシステムにおいて実行されるビームアソシエーション処理の流れの一例を示すシーケンス図である。
【図１９】同実施形態に係るリソース設定の一例を説明するための図である。
【図２０】同実施形態に係るシステムにおいて実行されるビームアソシエーション処理の流れの一例を示すシーケンス図である。
【図２１】第２の実施形態に係るシステムにおいて実行されるビームアソシエーション処理の流れの一例を示すシーケンス図である。
【図２２】同実施形態に係るシステムにおいて実行されるビームアソシエーション処理の流れの一例を示すシーケンス図である。
【図２３】同実施形態に係るリソース設定の一例を説明するための図である。
【図２４】同実施形態に係るリソース設定の一例を説明するための図である。
【図２５】同実施形態に係るリソース設定の一例を説明するための図である。
【図２６】同実施形態に係るリソース設定の一例を説明するための図である。
【図２７】同実施形態に係るリソース設定の一例を説明するための図である。
【図２８】ｅＮＢの概略的な構成の第１の例を示すブロック図である。
【図２９】ｅＮＢの概略的な構成の第２の例を示すブロック図である。
【図３０】スマートフォンの概略的な構成の一例を示すブロック図である。
【図３１】カーナビゲーション装置の概略的な構成の一例を示すブロック図である。
【発明を実施するための形態】
【００１７】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１８】
また、本明細書及び図面において、実質的に同一の機能構成を有する要素を、同一の符号の後に異なるアルファベットを付して区別する場合もある。例えば、実質的に同一の機能構成を有する複数の要素を、必要に応じて基地局１００Ａ、１００Ｂ及び１００Ｃのように区別する。ただし、実質的に同一の機能構成を有する複数の要素の各々を特に区別する必要がない場合、同一符号のみを付する。例えば、基地局１００Ａ、１００Ｂ及び１００Ｃを特に区別する必要が無い場合には、単に基地局１００と称する。
【００１９】
なお、説明は以下の順序で行うものとする。
１．はじめに
１．１．全体構成
１．２．ビームフォーミングに関する技術
２．各装置の構成例
２．１．基地局の構成例
２．２．端末装置の構成例
３．第１の実施形態
３．１．技術的課題
３．２．技術的特徴
４．第２の実施形態
４．１．技術的課題
４．２．技術的特徴
５．応用例
６．まとめ
【００２０】
＜＜１．はじめに＞＞
＜１．１．全体構成＞
図１は、本実施形態に係るシステム１の全体構成の一例を示す図である。図１に示したように、システム１は、基地局１００、端末装置２００、コアネットワーク（Core  Network）２０、及びＰＤＮ（Packet  Data  Network）３０を含む。
【００２１】
基地局１００は、セル１１を運用し、セル１１の内部に位置する１つ以上の端末装置へ無線サービスを提供する。例えば、基地局１００Ａは、端末装置２００Ａに無線サービスを提供し、基地局１００Ｂは端末装置２００Ｂに無線サービスを提供する。セル１１は、例えばＬＴＥ又はＮＲ（New  Radio）等の任意の無線通信方式に従って運用され得る。基地局１００は、コアネットワーク２０に接続される。コアネットワーク２０は、ＰＤＮ３０に接続される。
【００２２】
コアネットワーク２０は、例えばＭＭＥ（Mobility  Management  Entity）、Ｓ−ＧＷ（Serving  gateway）、Ｐ−ＧＷ（PDN  gateway）、ＰＣＲＦ（Policy  and  Charging  Rule  Function）及びＨＳＳ（Home  Subscriber  Server）を含み得る。ＭＭＥは、制御プレーンの信号を取り扱う制御ノードであり、端末装置の移動状態を管理する。Ｓ−ＧＷは、ユーザプレーンの信号を取り扱う制御ノードであり、ユーザデータの転送経路を切り替えるゲートウェイ装置である。Ｐ−ＧＷは、ユーザプレーンの信号を取り扱う制御ノードであり、コアネットワーク２０とＰＤＮ３０との接続点となるゲートウェイ装置である。ＰＣＲＦは、ベアラに対するＱｏＳ（Quality  of  Service）等のポリシー及び課金に関する制御を行う制御ノードである。ＨＳＳは、加入者データを取り扱い、サービス制御を行う制御ノードである。
【００２３】
端末装置２００は、基地局１００による制御に基づいて基地局１００と無線通信する。端末装置２００は、いわゆるユーザ端末（ＵＥ：User  Equipment）であってもよい。例えば、端末装置２００は、基地局１００にアップリンク（ＵＬ：Ｕｐｌｉｎｋ）信号を送信して、基地局１００からダウンリンク（ＤＬ：Ｄｏｗｎｌｉｎｋ）信号を受信する。
【００２４】
＜１．２．ビームフォーミングに関する技術＞
（１）コードブックベースビームフォーミング
基地局１００は、ビームフォーミングを行って端末装置２００と通信することで、例えば通信品質を向上させることができる。ビームフォーミングの手法としては、端末装置２００に追従するようなビームを生成する手法と、候補のビームの中から端末装置２００に追従するようなビームを選択する手法とがある。前者の手法は、ビームを生成する度に計算コストがかかることから、将来の無線通信システム（例えば、５Ｇ）において採用されることは考えづらい。一方で、後者の手法は、３ＧＰＰ（Third  Generation  Partnership  Project）のリリース１３のＦＤ−ＭＩＭＯ（Full  Dimension  Multiple  Input  Multiple  Output）でも採用されている。後者の手法は、コードブックベースビームフォーミング（codebook  based  beam  forming）とも称される。
【００２５】
コードブックベースフォーミングでは、基地局１００は、あらゆる方向に向けたビームを事前に準備（即ち、生成）しておき、その事前に準備しておいたビームの中から対象の端末装置２００に適するビームを選択して、選択したビームを用いて端末装置２００と通信する。例えば、基地局１００は、水平方向の３６０度での通信が可能である場合、例えば１度刻みで３６０種類のビームを準備する。ビーム同士が半分重なるようにする場合、基地局１００は、７２０種類のビームを準備する。垂直方向に関しては、基地局１００は、例えば−９０度から＋９０度までの１８０度分のビームを準備する。
【００２６】
（２）ビームアソシエーションの必要性
基地局１００に搭載されるアンテナ（換言すると、アンテナ素子）数は、周波数帯域が３０ＧＨｚの場合には２５６本、周波数帯域が７０ＧＨｚの場合には１０００本というように、非常に多数になり得る。アンテナ数が非常に多数になると、生成可能なビームも非常に鋭くなる。例えば、基地局１００は、半値幅（３ｄＢ落ちのレベルが何度以上で起きるかを示す値）が１度以下といった、非常に鋭いビームを提供することが可能になり得る。
【００２７】
ビームが鋭くなることは、ビームの照射範囲が狭くなり、端末装置２００がビームの照射範囲から外れやすくなることを意味する。そのため、アンテナ数が多数になるほど、端末装置２００に追従するビームを適切に選択することの重要性が増す、と言える。そこで、基地局１００は、端末装置２００との通信に適するビームを選択する、ビームアソシエーションを行う。
【００２８】
基地局１００は、ＤＬ通信のために、送信用のビーム（以下、ＴＸビームとも称する）を選択する。また、基地局１００は、ＵＬ通信のために、受信用のビーム（以下、ＲＸビームとも称する）を選択する。なお、ＲＸビームを用いて端末装置２００からのＵＬ信号を受信する処理は、アンテナ指向性をビームにしてＵＬ信号を受信する処理である。
【００２９】
（３）ビームスィーピング
基地局１００は、ビームの選択のためにビームスィーピングを行い得る。ビームスィーピングとは、アンテナ指向性を次々に変えながら、即ち選択するビームを次々に変えながら信号を送信又は受信することである。以下では、ＤＬの参照信号（ＲＳ：Reference  Signal）を、ＤＬ  ＲＳ（Downlink  Reference  Signal）とも称する。また、ＵＬの参照信号を、ＵＬ  ＲＳ（Uplink  Reference  Signal）とも称する。
【００３０】
例えば、基地局１００は、ビームスィーピングを行いながらＤＬ  ＲＳを送信することで、端末装置２００との通信に適するＴＸビームを選択する。詳しくは、基地局１００は、候補の複数のＴＸビームを用いてＤＬ  ＲＳを送信し、端末装置２００における受信結果（即ち、測定結果）に基づいて適切なＴＸビームを選択する。なお、ビームスィーピングを行いながらの送信を、ＴＸビームスィーピングとも称する。
【００３１】
一方で、基地局１００は、ビームスィーピングを行いながらＵＬ  ＲＳを受信（即ち、測定）することで、端末装置２００との通信に適するＲＸビームを選択する。詳しくは、基地局１００は、端末装置２００から送信されたＵＬ  ＲＳを候補の複数のＲＸビームを用いて受信し、その受信結果に基づいて適切なＲＸビームを選択する。なお、ビームスィーピングを行いながらの受信を、ＲＸビームスィーピングとも称する。
【００３２】
なお、本実施形態では、ビームスィーピングを行いながら送信又は受信される信号は、特に言及がない限り参照信号である。以下では、ビームスィーピングを行いながら参照信号を送信することを、単にＴＸビームスィーピングを行うとも称する。また、ビームスィーピングを行いながら参照信号を受信することを、単にＲＸビームスィーピングを行うとも称する。
【００３３】
（４）ビームフォーミングを行うためのリソース
以下、図２を参照して、ビームフォーミングを行うための通信機のアーキテクチャの一例を説明する。
【００３４】
図２は、ビームフォーミングを行うための通信機のアーキテクチャの一例を示す図である。図２に示したアーキテクチャは、アンテナ重みがすべてデジタル回路において構成されるので、フルデジタルのアンテナアーキテクチャとも称される。
【００３５】
フルデジタルのアンテナアーキテクチャの場合、ビームスィーピングを行う際には、ビームの数だけ異なるリソースが用いられる。一方で、ビームスィーピングを行って受信する際には、ひとつのリソースないですべてのビームを同時に受信することができる。
【００３６】
従って、フルデジタルのアンテナアーキテクチャでは、ビームスィーピングを行って受信する際の使用リソースを少なくすることができる。つまり、基地局１００がフルデジタルのアンテナアーキテクチャを有する場合、ＲＸビームの選択のためには、端末装置２００は１リソース分のＵＬ  ＲＳを送信すればよいので、端末装置２００の消費電力は少ない。
【００３７】
なお、ここでのリソースとは、周波数及び／又は時間を使用した直交リソースである。例えば、リソースは、ＬＴＥのリソースブロック又はリソースエレメントであってもよい。
【００３８】
続いて、図３を参照して、ビームフォーミングを行うための通信機のアーキテクチャの他の一例を説明する。
【００３９】
図３は、ビームフォーミングを行うための通信機のアーキテクチャの一例を示す図である。図３に示したアーキテクチャは、アナログ回路のフェイズシフターを含んで構成されるので、アナログ／デジタルのハイブリッドのアンテナアーキテクチャとも称される。
【００４０】
ハイブリッドのアンテナアーキテクチャは、デジタル回路のハードウェアが少なくなるので、フルデジタルと比較してコスト的に有利であるとされる。しかし、ハイブリッドのアンテナアーキテクチャでは、アンテナに接続されているフェイズシフターは一方向へのビームしか表現できない。そのため、ＴＸビームスィーピングもＲＸビームスィーピングも、ビームの数だけ異なるリソースが用いられることとなる。そのため、基地局１００でのＲＸビームスィーピングのために、端末装置２００がビームの数に相当する数のリソースすべてにおいて、ＵＬ  ＲＳを送信することとなり、端末装置２００の電力消費が著しく大きいものとなる。
【００４１】
ハイブリッドのアンテナアーキテクチャが採用される場合、上述したＲＸビームスィーピングにおけるリソース数が多いという欠点を、どのように克服するかが重要になる。
【００４２】
（５）ビームスィーピングの効率化
水平方向の３６０度に対してビームが１度刻みで準備された場合、ビームスィーピングにおいて３６０個のリソースが用いられることとなる。これに対し、水平方向の３６０度に対してビームが１０度刻みで準備された場合、ビームスィーピングにおいて３６個のリソースが用いられることとなる。従って、ビームが鋭くなるほど、消費リソース量が多くなり、処理時間がかかり、端末装置２００における消費電力も大きくなる。
【００４３】
そこで、基地局１００は、図４に示すラフな（rough）ビームでのビームスィーピングと、図５に示す正確な（accurate）ビームでのビームスィーピングとの、段階的なビームスィーピングを行って、端末装置２００との通信のためのビームを選択する。ここで、図４は、第１のビームを用いたビームスィーピングの一例を示す図である。図５は、第２のビームを用いたビームスィーピングの一例を示す図である。以下では、ラフなビームを第１のビームとも称し、正確なビームを第２のビームとも称する。以下、図６及び図７を参照して、第１のビーム及び第２のビームの各々の照射範囲について説明する。
【００４４】
図６は、第１のビームの照射範囲の一例を説明するための図である。図７は、第２のビームの照射範囲の一例を説明するための図である。図６に示すように、ひとつの第１のビームは、セル１１を４等分した一領域を照射範囲とし得る。そして、ひとつの第２のビームは、第１のビームの照射範囲を細分化した照射範囲を有する。図７に示した例では、第２のビームは、セル１１を４等分した第１のビームの照射範囲を、さらに１２分割し、その一領域を照射範囲としている。
【００４５】
基地局１００は、照射範囲が広い第１のビームを用いたビームスィーピングを行って第２のビームの候補を絞り込んだ上で、照射範囲が狭い第２のビームを用いたビームスィーピングを行い、第２のビームを選択する。
【００４６】
具体的には、まず、基地局１００は、水平方向の３６０度に対して第２のビームを１０度刻みで準備して、即ち解像度（resolution）が１０度の第１のビームを３６個準備して、３６個のリソースを用いてビームスィーピングを行い、最適な第１のビームを選択する。そして、基地局１００は、最適な第１のビームの１０度分に対応する１度刻みの１０個の第２のビーム、及び１０個のリソースを用いてビームスィーピングを行い、最適な第２のビームを選択する。この場合、３６＋１０の計４６個のリソースが用いられることとなり、上述した３６０個のリソースが用いられる場合と比較して、消費リソース量、処理時間及び端末装置２００における消費電力を大幅に削減可能である。
【００４７】
なお、第１のビームは、半値幅が第２のビームよりも大きいビームであってもよいし、第２のビームを複数含むものであってもよい。前者の場合、ひとつの第１のビームを用いてＤＬ  ＲＳを送信する処理は、ひとつのリソースにおいてひとつの第１のビームを用いてＤＬ  ＲＳを送信する処理である。後者の場合、ひとつの第１のビームを用いてＤＬ  ＲＳを送信する処理は、ひとつのリソースにおいて第１のビームに含まれる複数の第２のビームを同時に用いてＤＬ  ＲＳを送信する処理である。
【００４８】
（６）複数の基地局によるビームアソシエーション
図８は、複数の基地局１００によるビームアソシエーションの一例を説明するための図である。端末装置２００の周りに複数の基地局１００が存在する場合、複数の基地局１００が、例えばＣｏＭＰ（Coordinated  Multiple  Point  transmission／reception）を実施するために、当該端末装置２００のためのＴＸビーム及びＲＸビームを選択することがある。図８に示した例では、基地局１００Ａはビーム１９Ａを選択し、基地局１００Ｂはビーム１９Ｂを選択し、基地局１００Ｃはビーム１９Ｃを選択している。複数の基地局１００におけるビーム選択を可能にするために、端末装置２００におけるＲＳの受信負荷又は送信負荷は高まり得る。なお、例えば複数の基地局１００Ａ〜１００Ｃのうち端末装置２００に最も近い基地局、サービング基地局又は主要な基地局が、基地局１００Ａ〜１００Ｃの各々のビームを選択して、他の基地局に選択結果を通知してもよい。
【００４９】
（７）チャネル可逆性
チャネル可逆性（Channel  Reciprocity）とは、ＵＬのチャネル情報とＤＬのチャネル情報とが同一であることを意味する。ＴＤＤ（Time  Division  Duplex）システムでは、ＵＬとＤＬとで使用する周波数帯域が同じなので、典型的にはチャネル可逆性が成り立つ。ただし、基地局１００及び端末装置２００におけるアナログ回路の送信機能と受信機能とが同じ特性になるようキャリブレーションが行われることが前提である。
【００５０】
チャネル可逆性が成り立つ場合、ＴＸビームとＲＸビームとは同一となる。つまり、基地局１００は、ＴＸビームスィーピングを行ってＴＸビームを選択すると、ＲＸビームスィーピングの行うことなく、ＲＸビームを選択することが可能となる。
【００５１】
チャネル可逆性が成り立つ場合の、段階的なビームスィーピングを行う典型的なビームアソシエーション処理の流れの一例を、図９を参照して説明する。
【００５２】
図９は、典型的なビームアソシエーション処理の流れの一例を示すシーケンス図である。図９に示すように、本シーケンスには、基地局１００及び端末装置２００が関与する。
【００５３】
まず、基地局１００は、第１のビームを用いたＴＸビームスィーピングを行う（ステップＳ１２）。このＴＸビームスィーピングは、基地局固有（Base  Station−specific）のＴＸビームスィーピングパターンで行われてもよい。ここでのビームスィーピングパターンとは、どのビームにどのリソースが対応するか、という対応関係を示す。
【００５４】
次いで、端末装置２００は、第１のビームを用いて送信されたＤＬ  ＲＳの受信結果を含む第１の報告情報を、基地局１００に報告する（ステップＳ１４）。第１の報告情報は、端末装置２００にとって最も望ましい第１のビームの識別情報を含み得る。
【００５５】
次に、基地局１００は、第２のビームを用いたＴＸビームスィーピングを行う（ステップＳ１６）。とりわけ、基地局１００は、第１の報告情報が示す第１のビームの照射範囲を細分化した照射範囲を有する複数の第２のビームを用いてＴＸビームスィーピングを行う。
【００５６】
なお、このＴＸビームスィーピングでは、対象の端末装置２００のために準備された端末固有のＴＸビームスィーピングパターンで行われてもよい。若しくは、ＴＸビームスィーピングパターンは、全ての端末装置２００に共通に準備されており、端末装置２００ごとにどの部分をモニタすべきかが通知されてもよい。前者の場合、ＴＸビームスィーピングパターン自体が端末固有（UE  Specific）のものである。後者の場合、どの部分をモニタすべきかの設定が端末固有のものである。
【００５７】
次いで、端末装置２００は、第２のビームを用いて送信されたＤＬ  ＲＳの受信結果を含む第２の報告情報を、基地局１００に報告する（ステップＳ１８）。第２の報告情報は、端末装置２００にとって最も望ましい第２のビームの識別情報を含み得る。
【００５８】
そして、基地局１００は、第２の報告情報に基づいて第２のビームを選択し、選択した第２のビームを用いたＤＬユーザデータの送信を行う（ステップＳ２０）。例えば、基地局１００は、第２の報告情報が示す第２のビームを用いてＤＬユーザデータを送信する。
【００５９】
その後、端末装置２００は、ＵＬユーザデータの送信を行う（ステップＳ２２）。チャネル可逆性が担保される場合、基地局１００は、選択した第２のビームを用いて（即ち、ＴＸビームとして最適な第２のビームをＲＸビームとして用いて）、ＵＬユーザデータを受信する（ステップＳ２４）。
【００６０】
続いて、基地局１００が複数である場合の、典型的なビームアソシエーション処理の流れの一例を、図１０に示す。図１０は、典型的なビームアソシエーション処理の流れの一例を示すシーケンス図である。図１０に示すように、基地局１００が複数である場合、図９に示したシーケンスが基地局１００の数だけ繰り返されることとなる。本シーケンスに含まれる各処理は、図９を参照して上記説明した通りであるので、ここでの説明は省略する。
【００６１】
＜＜２．各装置の構成例＞＞
以下、図１１及び図１２を参照して、基地局１００及び端末装置２００の構成例を説明する。
【００６２】
＜２．１．基地局の構成例＞
図１１は、本実施形態に係る基地局１００の構成の一例を示すブロック図である。図１１を参照すると、基地局１００は、アンテナ部１１０、無線通信部１２０、ネットワーク通信部１３０、記憶部１４０及び処理部１５０を備える。
【００６３】
（１）アンテナ部１１０
アンテナ部１１０は、無線通信部１２０により出力される信号を電波として空間に放射する。また、アンテナ部１１０は、空間の電波を信号に変換し、当該信号を無線通信部１２０へ出力する。
【００６４】
本実施形態では、アンテナ部１１０は、複数のアンテナ（即ち、アンテナ素子）を有し、複数のアンテナによりビームを形成して送信又は受信する。
【００６５】
（２）無線通信部１２０
無線通信部１２０は、信号を送受信する。例えば、無線通信部１２０は、端末装置へのダウンリンク信号を送信し、端末装置からのアップリンク信号を受信する。
【００６６】
（３）ネットワーク通信部１３０
ネットワーク通信部１３０は、情報を送受信する。例えば、ネットワーク通信部１３０は、他のノードへの情報を送信し、他のノードからの情報を受信する。例えば、上記他のノードは、他の基地局及びコアネットワークノードを含む。
【００６７】
（４）記憶部１４０
記憶部１４０は、基地局１００の動作のためのプログラム及び様々なデータを一時的に又は恒久的に記憶する。
【００６８】
（５）処理部１５０
処理部１５０は、基地局１００の様々な機能を提供する。処理部１５０は、選択部１５１、通知部１５３及び通信制御部１５５を含む。選択部１５１は、端末装置２００との通信に適するビームを選択する処理を行う。通知部１５３は、後述するリソース設定情報を端末装置２００に通知する処理を行う。通信制御部１５５は、選択部１５１により選択されたビームを用いて端末装置２００と通信する処理を行う。
【００６９】
なお、処理部１５０は、これらの構成要素以外の他の構成要素をさらに含み得る。即ち、処理部１５０は、これらの構成要素の動作以外の動作も行い得る。
【００７０】
＜２．２．端末装置の構成例＞
図１２は、本実施形態に係る端末装置２００の構成の一例を示すブロック図である。図１２を参照すると、端末装置２００は、アンテナ部２１０、無線通信部２２０、記憶部２３０及び処理部２４０を備える。
【００７１】
（１）アンテナ部２１０
アンテナ部２１０は、無線通信部２２０により出力される信号を電波として空間に放射する。また、アンテナ部２１０は、空間の電波を信号に変換し、当該信号を無線通信部２２０へ出力する。
【００７２】
（２）無線通信部２２０
無線通信部２２０は、信号を送受信する。例えば、無線通信部２２０は、基地局からのダウンリンク信号を受信し、基地局へのアップリンク信号を送信する。
【００７３】
（３）記憶部２３０
記憶部２３０は、端末装置２００の動作のためのプログラム及び様々なデータを一時的に又は恒久的に記憶する。
【００７４】
（４）処理部２４０
処理部２４０は、端末装置２００の様々な機能を提供する。処理部２４０は、取得部２４１及び選択支援部２４３を含む。取得部２４１は、基地局１００から通知されるリソース設定情報を取得する処理を行う。選択支援部２４３は、基地局１００におけるビーム選択を支援するための処理を行う。
【００７５】
なお、処理部２４０は、これらの構成要素以外の他の構成要素をさらに含み得る。即ち、処理部２４０は、これらの構成要素の動作以外の動作も行い得る。
【００７６】
＜＜３．第１の実施形態＞＞
本実施形態は、基地局１００が、ＴＸビームスィーピングにより第１のビームを選択し、ＴＸビームスィーピングにより第２のビームを選択する形態である。
【００７７】
＜３．１．技術的課題＞
基地局１００が、ビームスィーピングを行いながら参照信号を送信する場合、端末装置２００は、ビームの数に相当する数のリソースにおいて参照信号を受信することになり、受信のための消費電力は多大なものとなる。このことは、ＭＩＭＯにようにビームの数が多数になる場合に影響が大きい。そのため、参照信号を送受信するリソース数が最小化されることが望ましい。
【００７８】
＜３．２．技術的特徴＞
（１）段階的なビームアソシエーション
【００７９】
基地局１００（例えば、選択部１５１）は、第１のビームを用いたビームスィーピングを行い、続いて第２のビームを用いたビームスィーピングを行う。詳しくは、基地局１００は、複数のアンテナにより形成される予め設定された複数の第１のビームを使用して送信した複数の第１の参照信号の受信結果に基づいて選択された、端末装置２００との通信に適する第１のビームの照射範囲を細分化した照射範囲を有する複数の第２のビームを使用して送信又は受信した、複数の第２の参照信号の受信結果に基づいて端末装置２００との通信に適する第２のビームを選択する。基地局１００は、少なくとも第２のビームを選択し、典型的には第１のビームも選択する。後述するように、端末装置２００から第１の報告情報が報告されず、第１のビームの選択が端末装置２００により行われる場合がある。ここで、第１のビームは、ＴＸビームである。一方で、第２のビームは、ＴＸビームであってもよいし、ＲＸビームであってもよい。本実施形態では、第２のビームがＴＸビームである例を説明し、第２の実施形態では、第２のビームがＲＸビームである例を説明する。本実施形態では、第１の参照信号及び第２の参照信号は、基地局１００から送信されるダウンリンクの参照信号である。第１の参照信号及び第２の参照信号は、例えばＣＳＩ−ＲＳ（Channel  State  Information  Reference  Signal）又はＣＲＳ（Cell-specific  Reference  Signal）等であってもよい。
【００８０】
典型的には、まず、基地局１００は、複数の第１のビームの各々を使用して第１の参照信号を送信し、端末装置２００から報告された第１の参照信号の受信結果を示す第１の報告情報に基づいて第１のビームを選択する。第１の報告情報は、端末装置２００にとって最も望ましい第１のビームの識別情報を含み得る。その場合、基地局１００による第１のビームを選択する処理は、端末装置２００による選択をそのまま採用する処理である。他にも、第１の報告情報は、複数の第１のビームの各々を使用して送信された第１の参照信号の、各々の受信電力（例えば、ＲＳＲＰ（Reference  Signal  Received  Power））又は受信品質（ＲＳＲＱ（Reference  Signal  Received  Quality））等を含み得る。その場合、基地局１００による第１のビームを選択する処理は、最も受信電力が高い又は受信品質が良い参照信号の送信に用いた第１のビームを選択する処理である。以下では、端末装置２００が第１のビームを選択し、基地局１００は端末装置２００による選択結果をそのまま採用するものとして説明する。なお、端末装置２００は、基地局１００から選択結果を通知される、又は基地局１００と同様の基準で第１のビームを選択することで、第１のビームの選択結果を知得し得る。
【００８１】
次いで、基地局１００は、選択した第１のビームの照射範囲を細分化した照射範囲を有する複数の第２のビームの各々を使用して第２の参照信号を送信し、端末装置２００から報告された第２の参照信号の受信結果を示す第２の報告情報に基づいて第２のビームを選択する。第２の報告情報は、端末装置２００にとって最も望ましい第２のビームの識別情報を含み得る。その場合、基地局１００による第２のビームを選択する処理は、端末装置２００による選択をそのまま採用する処理である。他にも、第２の報告情報は、複数の第２のビームの各々を使用して送信された第２の参照信号の、各々の受信電力又は受信品質等を含み得る。その場合、基地局１００による第２のビームを選択する処理は、最も受信電力が高い又は受信品質が良い参照信号の送信に用いた第２のビームを選択する処理である。以下では、端末装置２００が第２のビームを選択し、基地局１００は端末装置２００による選択結果をそのまま採用するものとして説明する。なお、端末装置２００は、基地局１００から選択結果を通知される、又は基地局１００と同様の基準で第２のビームを選択することで、第２のビームの選択結果を知得し得る。
【００８２】
（２）リソース設定情報
基地局１００（例えば、通知部１５３）は、第１の参照信号のための複数の第１のビームに対応する複数の第１のリソースと第２の参照信号のための複数の第２のビームに対応する複数の第２のリソースとの配置関係を示す情報を、端末装置２００に通知する。詳しくは、基地局１００は、第１のビームごとの、対応する第１のリソースと当該第１のビームの照射範囲を細分化した照射範囲を有する複数の第２のビームに対応する複数の第２のリソースとの配置関係を示す情報を、端末装置２００に通知する。この配置関係を示す情報を、以下ではリソース設定情報とも称する。
【００８３】
リソース設定情報の一例を、下記の表１に示す。
【００８４】
【表１】
2018107613.tif 000003
【００８５】
上記表１における「Ｆ」は周波数リソース、「Ｔ」は時間リソースを示し、例えばリソース（Ｆ１、Ｔ１）は、周波数Ｆ１、時間Ｔ１の直交リソースである。また、例えば識別情報Ｘ１の第１のビームの照射範囲を細分化した照射範囲を有する第２のビームの識別情報は、Ｘ１１〜Ｘ１４である。上記表１に示すように、リソース設定情報は、第１のビームの識別情報、当該第１のビームに対応する第１のリソースの配置、第１のビームの照射範囲を細分化した照射範囲を有する第２のビームの識別情報、及び当該第２のビームに対応する第２のリソースの配置が対応付けられた情報を含む。なお、上記表では、第２のリソースの配置は、絶対的なリソース位置として表現されているが、相対的なリソース位置として表現されてもよい。例えば、第２のリソースの配置は、第１のリソースの配置からの差分として表現されてもよい。
【００８６】
リソース設定情報は、第１のリソースに関するリソース設定情報である第１のリソース設定情報と、第２のリソースに関するリソース設定情報である第２のリソース設定情報とで、分離して通知されてもよい。その場合、第１のリソース設定情報は、例えば、第１のビームの識別情報、当該第１のビームの照射範囲を細分化した照射範囲を有する第２のビームの識別情報、及び当該第１のビームに対応する第１のリソースの配置が対応付けられた情報を含む。また、第２のリソース設定情報は、例えば、第２のビームの識別情報、当該第２のビームの照射範囲を含む照射範囲を有する第１のビームの識別情報、及び当該第２のビームに対応する第２のリソースの配置が対応付けられた情報を含む。
【００８７】
リソース設定は多様に考えられる。以下、図１３〜図１５を参照して、リソース設定の一例を説明する。
【００８８】
図１３は、本実施形態に係るリソース設定の一例を説明するための図である。図１３では、横軸が時間であり、縦軸が周波数であり、１つの矩形が１つのビームを用いて送信される参照信号のためのリソースを示している。区間１２に含まれるリソースは第１のリソースであり、区間１３に含まれるリソースは第２のリソースである。そして、第１のリソース１４Ａとグループ１６Ａに含まれる第２のリソースとが対応付けられる。詳しくは、第１のリソース１４Ａに対応する第１のビームの照射範囲を細分化した照射範囲を有する第２のビームに対応する第２のリソースが、グループ１６Ａに含まれる。同様に、第１のリソース１４Ｂとグループ１６Ｂに含まれる第２のリソースとが対応付けられ、第１のリソース１４Ｃとグループ１６Ｃに含まれる第２のリソースとが対応付けられる。
【００８９】
図１４は、本実施形態に係るリソース設定の一例を説明するための図である。図１４では、横軸が時間であり、縦軸が周波数であり、１つの矩形が１つのビームを用いて送信される参照信号のためのリソースを示している。区間１２に含まれるリソースは第１のリソースであり、区間１３に含まれるリソースは第２のリソースである。そして、グループ１５Ａに含まれる第１のリソースとグループ１６Ａに含まれる第２のリソースとが対応付けられる。詳しくは、グループ１５Ａに含まれる第１のリソースに対応する第１のビームの照射範囲を細分化した照射範囲を有する第２のビームに対応する第２のリソースが、グループ１６Ａに含まれる。同様に、グループ１５Ｂに含まれる第１のリソースとグループ１６Ｂに含まれる第２のリソースとが対応付けられ、グループ１５Ｃに含まれる第１のリソースとグループ１６Ｃに含まれる第２のリソースとが対応付けられる。
【００９０】
図１３及び図１４に示したように、全ての第１のリソースよりも後の時間リソースにおいて全ての第２のリソースが配置されてもよい。より簡易には、第１のリソースと第２のリソースとが、時間方向で分離して配置されてもよい。
【００９１】
図１５は、本実施形態に係るリソース設定の一例を説明するための図である。図１５では、横軸が時間であり、縦軸が周波数であり、１つの矩形が１つのビームを用いて送信される参照信号のためのリソースを示している。区間１２Ａ〜１２Ｃに含まれるリソースは第１のリソースであり、区間１３Ａ〜１３Ｃに含まれるリソースは第２のリソースである。そして、グループ１５Ａに含まれる第１のリソースとグループ１６Ａに含まれる第２のリソースとが対応付けられる。詳しくは、グループ１５Ａに含まれる第１のリソースに対応する第１のビームの照射範囲を細分化した照射範囲を有する第２のビームに対応する第２のリソースが、グループ１６Ａに含まれる。同様に、グループ１５Ｂに含まれる第１のリソースとグループ１６Ｂに含まれる第２のリソースとが対応付けられ、グループ１５Ｃに含まれる第１のリソースとグループ１６Ｃに含まれる第２のリソースとが対応付けられる。
【００９２】
図１５に示したように、第１のリソースと第２のリソースとが、オーバーラップして配置されてもよい。ただし、少なくとも、第１のリソースよりも後の時間リソースにおいて当該第１のリソースに対応する第１のビームの照射範囲を細分化した照射範囲を有する複数の第２のビームに対応する複数の第２のリソースが配置される。これにより、第１のビームを使用して第１の参照信号が送信されるよりも後の時刻において、第２のビームを使用して第２の参照信号が送信されることとなる。よって、第１の参照信号を受信してから第２の参照信号を受信するまでの間に、第１の参照信号の受信結果に基づいて第１のビームを選択することが可能である。ただし、端末装置２００は、第１のビームをすべて評価する前に、最適になり得る第１のビームを選択して、受信対象の第２のビームを絞り込むことが要される。従って、端末装置２００は、相対評価ではなく絶対評価で第１のビームを評価する。例えば、端末装置２００は、所定の閾値よりも受信電力が高い第１の参照信号に使用された第１のビームの照射範囲を細分化した照射範囲を有する第２のビームを使用して送信される第２の参照信号を受信対象とする。
【００９３】
上記説明した事情から、図１５に示したリソース設定では複数の第１のビームの照射範囲を細分化した第２のビームが受信対象となり得るので、端末装置２００の消費電力の観点からは、図１３又は図１４に示したリソース設定の方が好適である。一方で、図１５に示したリソース設定は、第１のビームをすべて評価する前に適切な第２のビームを発見することが可能な点で、図１３又は図１４に示したリソース設定と比較して優れていると言える。例えば、第１のビームを用いたＴＸビームスィーピングが一部の第１のビームに限定して行われる場合には、図１５に示したリソース設定の優位性が高まる。
【００９４】
なお、図１５に示したようなオーバーラップした配置は、第１のビームと第２のビームとの対応付けが図１３又は図１４に示した配置と比較して容易である。そのため、オーバーラップした配置に関しては、リソース設定情報は、基地局１００から端末装置２００に通知される以外にも、規格として定義されてもよい。その場合、基地局１００から端末装置２００へのリソース設定情報の通知が省略され、端末装置２００における消費電力が低減される。
【００９５】
また、リソース設定は、基地局１００に固有であってもよい。即ち、基地局１００に接続する全ての端末装置２００に対して、共通するリソース設定が設定されてもよい。
【００９６】
（３）リソース設定情報に基づくビームアソシエーション
端末装置２００（例えば、取得部２４１）は、リソース設定情報を取得する。そして、端末装置２００（例えば、選択支援部２４３）は、リソース設定情報に基づいて、基地局１００によるビームの選択を支援するための処理を行う。ここでのビームの選択は、少なくとも第２のビームの選択を含み、さらに第１のビームの選択を含んでいてもよい。また、支援とは、例えば報告情報を報告する処理、又は参照信号を送信する処理を含む。
【００９７】
例えば、端末装置２００は、第１の参照信号を受信して、第１の参照信号の受信結果を示す第１の報告情報を基地局１００に報告する。第１の報告情報は、端末装置２００にとって最も望ましい第１のビームの識別情報、又は複数の第１のビームの各々を使用して送信された第１の参照信号の、各々の受信電力若しくは受信品質等を含み得る。後述するように、第１の報告情報の報告は省略されてもよい。また、端末装置２００は、第２の参照信号を受信して、第２の参照信号の受信結果を示す第２の報告情報を端末装置２００に報告する。第２の報告情報は、端末装置２００にとって最も望ましい第２のビームの識別情報、又は複数の第２のビームの各々を使用して送信された第２の参照信号の、各々の受信電力若しくは受信品質等を含み得る。
【００９８】
ここで、端末装置２００は、第１の参照信号の受信結果に基づいて、適切な第１のビームをひとつ選択すること、又は少数に絞り込むことが可能である。そうすると、端末装置２００は、リソース設定情報を参照して、選択された第１のビームの照射範囲を細分化した照射範囲を有する複数の第２のビームに対応する複数の第２のリソースを特定することが可能である。つまり、端末装置２００は、リソース設定情報を参照することで、どの第２のリソースを受信対象とするべきかを基地局１００から通知されずとも、受信対象とすべき第２のリソースを特定することが可能である。その場合、端末装置２００は、特定した第２のリソースにおいて第２の参照信号を受信し、第２の参照信号の受信結果を示す第２の報告情報を基地局に報告する。そのため、端末装置２００における、基地局１００からの第２のリソースを特定する情報を受信するための電力消費を可否することが可能となる。
【００９９】
端末装置２００は、第１の報告情報の報告を省略してもよい。その場合、さらなる消費電力の低減も可能である。以下では、第１の報告情報が報告される場合と省略される場合とについて順に説明する。
【０１００】
基地局１００は、第１の報告情報が報告された場合、選択された第１のビームの照射範囲を細分化した照射範囲を有する第２のビームに限定して第２の参照信号を送信する。端末装置２００は、リソース設定情報を参照することで、第２の参照信号を受信するリソースを、選択された第１のビームの照射範囲を細分化した照射範囲を有する第２のビームに対応する第２のリソースに限定して、消費電力を低減させることが可能となる。
【０１０１】
基地局１００は、第１の報告情報が報告されない場合、複数の第１のビームの各々の照射範囲を細分化した照射範囲を有する複数の第２のビームの各々を使用して第２の参照信号を送信し、第２の報告情報に基づいて第２のビームを選択する。より簡易には、基地局１００は、全ての第２のビームを使用して第２の参照信号を送信する。この場合でも、端末装置２００は、リソース設定情報を参照することで、第２の参照信号を受信するリソースを、選択された第１のビームの照射範囲を細分化した照射範囲を有する第２のビームに対応する第２のリソースに限定して、消費電力を低減させることが可能となる。
【０１０２】
以下、図１６を参照して、上記説明したビームアソシエーション処理の流れの一例を説明する。
【０１０３】
図１６は、本実施形態に係るシステム１において実行されるビームアソシエーション処理の流れの一例を示すシーケンス図である。図１６に示すように、本シーケンスには、基地局１００及び端末装置２００が関与する。
【０１０４】
まず、基地局１００は、第１のリソース設定情報を端末装置２００に送信する（ステップＳ１０２）。また、基地局１００は、第２のリソース設定情報を端末装置２００に送信する（Ｓ１０４）。このように、リソース設定情報は、第１のリソース設定情報と第２のリソース設定情報とに分けて通知されてもよい。
【０１０５】
次いで、基地局１００は、第１のビームを用いたＴＸビームスィーピングを行いながら、第１のリソース設定情報が示す各々の第１のリソースにおいて第１の参照信号を送信する（ステップＳ１０６）。
【０１０６】
他方、端末装置２００は、第１の参照信号の受信結果に基づいて最も望ましい第１のビームを選択する。そして、端末装置２００は、選択した第１のビームの照射範囲を細分化した照射範囲を有する第２のビームに対応する第２のリソースを、受信対象として設定する。
【０１０７】
次に、基地局１００は、第２のビームを用いたＴＸビームスィーピングを行いながら、第２のリソース設定情報が示す各々の第２のリソースにおいて第２の参照信号を送信する（ステップＳ１０８）。とりわけ、基地局１００は、端末装置２００における選択結果が未知であるので、すべての第２のビームを用いたＴＸビームスィーピングを行いながら、すべての第２のリソースにおいて第２の参照信号を送信する。
【０１０８】
次いで、端末装置２００は、第２のビームを用いて送信された第２の参照信号の受信結果を含む第２の報告情報を、基地局１００に報告する（ステップＳ１１０）。第２の報告情報は、端末装置２００にとって最も望ましい第２のＴＸビームの識別情報を含み得る。
【０１０９】
そして、基地局１００は、第２の報告情報に基づいて第２のビームを選択し、選択した第２のビームを用いたＤＬユーザデータの送信を行う（ステップＳ１１２）。例えば、基地局１００は、第２の報告情報が示す第２のビームを用いてＤＬユーザデータを送信する。
【０１１０】
その後、端末装置２００は、ＵＬユーザデータの送信を行う（ステップＳ１１４）。チャネル可逆性が担保される場合、基地局１００は、選択した第２のビームを用いて（即ち、ＴＸビームとして最適な第２のビームをＲＸビームとして用いて）、ＵＬユーザデータを受信する（ステップＳ１１６）。
【０１１１】
（４）端末個別の第２のリソースの配置
第２のリソースの配置は、端末装置２００に個別に設定されてもよい。その場合、第２のリソースは、端末固有のリソース（UE  specific  Resource）である。
【０１１２】
端末装置２００に個別に設定される第２のリソースの配置は、どの第１のビームが選択されようと変化しない。基地局１００（例えば、通知部１５３）は、それぞれの端末装置２００に、第２のリソースを事前に設定しておく。
【０１１３】
ビームアソシエーションにおいては、基地局１００（例えば、選択部１５１）は、端末装置２００から報告された第１の報告情報に基づいて第１のビームを選択する。そして、基地局１００は、事前に設定した第２のリソースにおいて、選択した第１のビームの照射範囲を細分化した照射範囲を有する第２のビームを使用して第２の参照信号を送信する。端末装置２００は、どの第１のビームが選択されるにしろ、予め設定された第２リソースを受信対象とすることが可能である。なお、予め設定される第２のリソースは、どの第２のビームに対応するかが定まっていないという点で、リソースプールとして捉えられてもよい。
【０１１４】
以下、図１７を参照して、端末個別の第２のリソースが設定される場合のリソース設定の一例を説明する。
【０１１５】
図１７は、本実施形態に係るリソース設定の一例を説明するための図である。図１７では、横軸が時間であり、縦軸が周波数であり、１つの矩形が１つのビームを用いて送信される参照信号のためのリソースを示している。区間１２に含まれる、グループ１５Ａ〜１５Ｃに含まれるリソースは、第１のリソースである。また、区間１３に含まれる、グループ１６に含まれるリソースは、第２のリソースである。グループ１６に含まれる第２のリソースにおいては、グループ１５Ａ、１５Ｂ又は１５Ｃのうち、例えば第１の参照信号の受信電力が最も高かったグループに対応する第１のビームの照射範囲を細分化した照射範囲を有する第２のビームを使用して、第２の参照信号が送信される。
【０１１６】
以下、図１８を参照して、端末個別の第２のリソースが設定される場合の処理の流れの一例を説明する。
【０１１７】
図１８は、本実施形態に係るシステム１において実行されるビームアソシエーション処理の流れの一例を示すシーケンス図である。図１８に示すように、本シーケンスには、基地局１００及び端末装置２００が関与する。
【０１１８】
まず、基地局１００は、第１のリソース設定情報を端末装置２００に送信する（ステップＳ２０２）。また、基地局１００は、端末装置２００に個別の第２のリソース設定情報を端末装置２００に送信する（Ｓ２０４）。
【０１１９】
次いで、基地局１００は、第１のビームを用いたＴＸビームスィーピングを行いながら、第１のリソース設定情報が示す各々の第１のリソースにおいて第１の参照信号を送信する（ステップＳ２０６）。
【０１２０】
次に、端末装置２００は、第１のビームを用いて送信された第１の参照信号の受信結果を含む第１の報告情報を、基地局１００に報告する（ステップＳ２０８）。
【０１２１】
次いで、基地局１００は、第１の報告情報に基づいて第１のビームを選択し、選択した第１のビームの照射範囲を細分化した照射範囲を有する第２のビームを用いたＴＸビームスィーピングを行いながら、端末装置２００に個別に設定した第２のリソースにおいて第２の参照信号を送信する（ステップＳ２１０）。他方、端末装置２００は、個別の第２のリソース設定情報が示す第２のリソースにおいて第２の参照信号を受信する。
【０１２２】
次いで、端末装置２００は、第２のビームを用いて送信された第２の参照信号の受信結果を含む第２の報告情報を、基地局１００に報告する（ステップ２１２）。
【０１２３】
そして、基地局１００は、第２の報告情報に基づいて第２のビームを選択し、選択した第２のビームを用いたＤＬユーザデータの送信を行う（ステップＳ２１４）。
【０１２４】
その後、端末装置２００は、ＵＬユーザデータの送信を行う（ステップＳ２１６）。チャネル可逆性が担保される場合、基地局１００は、選択した第２のビームを用いて（即ち、ＴＸビームとして最適な第２のビームをＲＸビームとして用いて）、ＵＬユーザデータを受信する（ステップＳ２１８）。
【０１２５】
（５）第２のビームの数の可変化
第１のビームの照射範囲の細分化する照射範囲を有する第２のビームの数は可変であってもよい。例えば、端末装置２００の周りに反射波が多い場合は、第２のビームの数は多い方が望ましい。一方で、反射波がない又は直接波と比較して反射波の電力が小さい等で見通し通信が可能な場合、第２のビームの数は少なくてもよい。また、端末装置２００の移動速度が速い場合は、第２のビームの数は多い方が望ましい。
【０１２６】
そこで、基地局１００（例えば、選択部１５１）は、第１のビームの照射範囲の細分化する照射範囲を有する第２のビームの数を可変に設定する。具体的には、基地局１００は、第２のビームの数が異なる複数のリソース設定を準備する。以下では、ひとつの第１のビームに対応付けられる第２のビームの数の違いを、リソース設定のレベルの違いとして表現する。一例として、レベルが高いリソース設定ほど、第２のビームの数が少なくなるものとする。基地局１００（例えば、通知部１５３）は、レベルごとのリソース設定情報を、端末装置２００に通知しておく。そして、基地局１００（例えば、選択部１５１）は、第１の報告情報に基づいてリソース設定のレベルを選択する。以下、レベルのごとのリソース設定について図１９を参照して説明する。
【０１２７】
図１９は、本実施形態に係るリソース設定の一例を説明するための図である。図１９では、横軸が時間であり、縦軸が周波数であり、１つの矩形が１つのビームを用いて送信される参照信号のためのリソースを示している。ある第１のリソースと最大で図１９に示す９個のリソースとが対応付け可能であるものとする。つまり、第１のビームの照射範囲を細分化した照射範囲を有する第２のビームが９個ある場合を想定する。レベル１が選択された場合、基地局１００は、グループ１６Ａに含まれる９個全部の第２のリソースにおいて第２のビームを使用して第２の参照信号を送信する。つまり、基地局１００は、９個の第２のビームを用いて第２の参照信号を送信する。レベル２が選択された場合、基地局１００は、グループ１６Ｂに含まれる６個の第２のリソースにおいて第２のビームを使用して第２の参照信号を送信する。つまり、基地局１００は、９個中６個の第２のビームを使用して第２の参照信号を送信し、残りの３個のビーム及び第２のリソースを使用しない。レベル３が選択された場合、基地局１００は、グループ１６Ｃに含まれる第２のリソースにおいて第２のビームを使用して第２の参照信号を送信する。つまり、基地局１００は、９個中４個の第２のビームを用いて第２の参照信号を送信し、残りの５個のビーム及び第２のリソースを使用しない。なお、レベル２又はレベル３が選択された場合、基地局１００は、９個の第２のリソースのうち、第２の参照信号の送信に用いられない残りの第２のリソースを、例えばユーザデータの送受信のために用いることができる。
【０１２８】
端末装置２００（例えば、選択支援部２４３）は、第１の報告情報に、基地局１００におけるレベル選択を支援するためのレベル選択支援情報を含めて、基地局１００に報告する。レベル選択支援情報は、端末装置２００の移動速度を示す情報、又は要求するレベルを示す情報を含み得る。第１の参照信号の受信電力又は受信品質を示す情報も、レベル選択支援情報として捉えられてもよい。
【０１２９】
基地局１００は、レベル選択支援情報に基づいて、リソース設定のレベルを選択する。例えば、基地局１００は、端末装置２００の移動速度が速い場合は高いレベルを選択し、遅い場合は低いレベルを選択する。なお、基地局１００は、端末装置２００からレベルが要求されなかった場合には、選択したレベルを示す情報を端末装置２００に通知してもよい。これにより、端末装置２００は、レベルに応じた必要最小限のリソースを受信対象とすることができ、消費電力を低減させることが可能となる。
【０１３０】
なお、基地局１００に固有にリソース設定が設定される場合も、端末装置２００に固有にリソース設定が設定される場合も、レベルが可変であってもよい。
【０１３１】
以下、図２０を参照して、リソース設定のレベルが可変である場合の処理の流れの一例を説明する。
【０１３２】
図２０は、本実施形態に係るシステム１において実行されるビームアソシエーション処理の流れの一例を示すシーケンス図である。図２０に示すように、本シーケンスには、基地局１００及び端末装置２００が関与する。
【０１３３】
まず、基地局１００は、第１のリソース設定情報を端末装置２００に送信する（ステップＳ３０２）。また、基地局１００は、レベルごとの第２のリソース設定情報を端末装置２００に送信する（Ｓ３０４）。例えば、基地局１００は、レベル１〜３の各々のリソース設定を示す第２のリソース設定情報を端末装置２００に送信する。
【０１３４】
次いで、基地局１００は、第１のビームを用いたＴＸビームスィーピングを行いながら、第１のリソース設定情報が示す各々の第１のリソースにおいて第１の参照信号を送信する（ステップＳ３０６）。
【０１３５】
次に、端末装置２００は、第１のビームを用いて送信された第１の参照信号の受信結果、及びレベル選択支援情報を含む第１の報告情報を、基地局１００に報告する（ステップＳ３０８）。ここで、レベル支援情報は、要求するレベルを示す情報を含むものとする。
【０１３６】
次に、基地局１００は、第２のビームを用いたＴＸビームスィーピングを行いながら、受信したレベル選択支援情報に基づいて選択したレベルの第２のリソース設定に対応する第２のリソースにおいて第２の参照信号を送信する（ステップＳ３１０）。ここでは、基地局１００は、レベル支援情報において要求されたレベルを選択するものとする。例えば、基地局１００は、図１９に示した例に関してレベル２を選択した場合、６個の第２のリソースにおいて第２の参照信号を送信する。
【０１３７】
次いで、端末装置２００は、要求したレベルのリソース設定情報が示す第２のリソースにおいて、第２のビームを用いて送信された第２の参照信号を受信し、受信結果を含む第２の報告情報を、基地局１００に報告する（ステップ３１２）。
【０１３８】
そして、基地局１００は、第２の報告情報に基づいて第２のビームを選択し、選択した第２のビームを用いたＤＬユーザデータの送信を行う（ステップＳ３１４）。
【０１３９】
その後、端末装置２００は、ＵＬユーザデータの送信を行う（ステップＳ３１６）。チャネル可逆性が担保される場合、基地局１００は、選択した第２のビームを用いて（即ち、ＴＸビームとして最適な第２のビームをＲＸビームとして用いて）、ＵＬユーザデータを受信する（ステップＳ３１８）。
【０１４０】
＜＜４．第２の実施形態＞＞
本実施形態は、基地局１００が、ＴＸビームスィーピングにより第１のビームを選択し、ＲＸビームスィーピングにより第２のビームを選択する形態である。
【０１４１】
＜４．１．技術的課題＞
複数の基地局１００が、ひとつの端末装置２００を対象とした段階的なビームアソシエーションを行う場合を想定する。その場合、端末装置２００は、各々の基地局１００との間で参照信号を送受信することになるので、基地局１００の数に比例して参照信号を送受信するリソースが多くなり、消費電力が多大なものとなる。そのため、複数の基地局１００がひとつの端末装置２００を対象とした段階的なビームアソシエーションを行う場合において、参照信号を送受信するリソース数が最小化されることが望ましい。
【０１４２】
＜４．２．技術的特徴＞
（１）ＲＸビームスィーピング
複数の基地局１００が、ひとつの端末装置２００を対象にしたビームアソシエーションを同時に行う例を想定する。例えば、サービング基地局１００Ａ、及び隣接基地局１００Ｂが存在するものとする。なお、これらの基地局を特に区別しない場合、基地局１００と総称する。
【０１４３】
まず、基地局１００（例えば、選択部１５１）は、第１のビームを、第１の実施形態と同様にして選択する。具体的には、各々の基地局１００は、複数の第１のビームの各々を使用して第１の参照信号を送信し、端末装置２００から報告された第１の参照信号の受信結果を示す第１の報告情報に基づいて第１のビームを選択する。本実施形態では、第１の参照信号は、基地局１００から送信されるダウンリンクの参照信号である。ここで、第１の参照信号を送信するのに用いる第１のリソースは、複数の基地局１００間で異なるものとする。
【０１４４】
端末装置２００（例えば、選択支援部２４３）は、第１の参照信号の受信結果を示す第１の報告情報を基地局１００に報告する。端末装置２００は、複数の基地局１００の各々に第１の報告情報を報告してもよいし、サービング基地局１００Ａに、複数の第１の報告情報をまとめて報告してもよい。後者の場合、サービング基地局１００Ａは、隣接基地局１００Ｂから送信された第１の参照信号に関する第１の報告情報を、隣接基地局１００Ｂに転送する。
【０１４５】
次いで、基地局１００は、第２のビームを、第２の実施形態と異なる処理により選択する。具体的には、基地局１００は、ＲＸビームスィーピングにより、第２のビームを選択する。
【０１４６】
まず、端末装置２００は、第１のリソースと第２のリソースとの配置関係を示すリソース設定情報を参照して、サービング基地局１００により選択された第１のビームの照射範囲を細分化した照射範囲を有する複数の第２のビームに対応する複数の第２のリソースにおいて、第２の参照信号を送信する。例えば、端末装置２００は、サービング基地局１００により選択された第１のビームの照射範囲を細分化した照射範囲を有する複数の第２のビームに対応する複数の第２のリソースにおいて、第２の参照信号を送信する。他方、端末装置２００は、隣接基地局１００による第１のビームの選択結果を考慮しない。これにより、端末装置２００は、隣接基地局１００がひとつ以上ある場合であっても、サービング基地局１００との関係で第２の参照信号を送信すればよく、第２の参照信号を何度も送信せずにすむので、消費電力を低減させることが可能となる。本実施形態では、第２の参照信号は、端末装置２００から送信されるアップリンクの参照信号である。なお、第２の参照信号は、例えばＳＲＳ（Sounding  Reference  Signal）であってもよい。
【０１４７】
次いで、基地局１００は、端末装置２００から送信された第２の参照信号を、選択した第１のビームの照射範囲を細分化した照射範囲を有する複数の第２のビームの各々を使用して第２のリソースにおいて受信し、受信結果に基づいて第２のビームを選択する。例えば、基地局１００は、複数の第２のビームの各々を使用して受信した第２の参照信号のうち、最も受信電力が高い又は受信品質がよい第２の参照信号の受信に用いた第２のビームを選択する。チャネル可逆性が成り立つ場合、選択した適切なＲＸビームに対応するＴＸビームが、端末装置２００との通信に適切なＴＸビームとなる。
【０１４８】
ここで、サービング基地局１００及び隣接基地局１００は、共通する第２のリソースにおいて第２の参照信号を受信する。そのために、サービング基地局１００は、第２のリソースを示す情報を隣接基地局１００に通知し、第２のリソースにおいて第２の参照信号を受信する。一方で、隣接基地局１００は、サービング基地局１００からの通知に基づいて、サービング基地局１００の第２のリソースにおいて第２の参照信号を受信する。具体的には、サービング基地局１００は、自身と同一のリソースにおいて第２の参照信号を受信するよう隣接基地局１００に要求する。この要求を、第２のリソースの設定リクエストとも称する。隣接基地局１００は、通知された第２のリソースの設定リクエストが示すリソースにおいて、端末装置２００から送信される第２の参照信号を受信する。基地局１００側のアンテナアーキテクチャがアナログ／デジタルのハイブリッドであっても、複数の基地局１００が同一の第２のリソースにおいて第２の参照信号を受信することが可能である。このように、複数の基地局１００が同一の第２のリソースにおいて第２の参照信号を受信するので、端末装置２００は、第２の参照信号を何度も送信せずにすみ、消費電力を低減させることが可能となる。
【０１４９】
サービング基地局１００は、第２のリソース設定情報を、端末装置２００に通知する。サービング基地局１００は、第２のリソース設定情報を、第１のビームの選択後に通知してもよいし、事前に通知しておいてもよい。
【０１５０】
前者の場合、第１のビームの選択結果が反映された、即ち受信対象とすることが決まった第２のリソースを示す第２のリソース設定情報が通知されることとなる。換言すると、サービング基地局１００は、第１のビームが選択された後に、端末装置２００が第２の参照信号を送信すべき第２のリソースを示す情報を端末装置２００に通知する。この場合、端末装置２００は、基地局１００により指示された通り、第２のリソース設定情報が示す第２のリソースにおいて、第２の参照信号を送信すればよい。
【０１５１】
後者の場合、第１のビームの選択結果が反映されない、即ち受信対象になり得る第２のリソース設定情報が通知されることとなる。換言すると、基地局１００は、第１のビームが選択される前に、端末装置２００が第２の参照信号を送信すべき候補の第２のリソースを示す情報を端末装置２００に通知する。この場合、端末装置２００は、自身で第１のビームを選択して、選択結果に基づいて第２のリソースを特定して、特定した第２のリソースにおいて第２の参照信号を送信する。この場合には、基地局１００は、第２のリソース設定情報を１度通知しておけば、改めて端末装置２００に通知する必要はなくなる。
【０１５２】
これら各々の処理の流れを、図２１及び図２２を参照して説明する。
【０１５３】
・第１の例
図２１は、本実施形態に係るシステム１において実行されるビームアソシエーション処理の流れの一例を示すシーケンス図である。本シーケンスは、第２のリソース設定情報が、第１のビームの選択後に通知される場合の例である。図２１に示すように、本シーケンスには、サービング基地局１００Ａ、隣接基地局１００Ｂ、隣接基地局１００Ｃ、及び端末装置２００が関与する。
【０１５４】
まず、サービング基地局１００Ａは、サービング基地局１００Ａ、隣接基地局１００Ｂ及び１００Ｃの第１のリソース設定情報を端末装置２００に送信する（ステップＳ４０２）。
【０１５５】
次いで、サービング基地局１００Ａ、隣接基地局１００Ｂ及び１００Ｃは、各々の第１のビームを用いたＴＸビームスィーピングを行いながら、第１のリソース設定情報が示す各々の第１のリソースにおいて第１の参照信号を送信する（ステップＳ４０４）。このＴＸビームスィーピングは、各々の基地局固有のＴＸビームスィーピングパターンで行われてもよい。
【０１５６】
次に、端末装置２００は、サービング基地局１００Ａ、隣接基地局１００Ｂ及び１００Ｃから第１のビームを用いて送信された第１の参照信号の受信結果を含む第１の報告情報を、サービング基地局１００Ａに報告する（ステップＳ４０６）。
【０１５７】
次いで、サービング基地局１００Ａは、第１の報告情報に基づいて第１のビームを選択し、第１のビームの照射範囲を細分化した照射範囲を有する第２のビームに対応する第２のリソースを、端末装置２００からの第２の参照信号を受信する第２のリソースとして設定する。そして、サービング基地局１００Ａは、自身が第２の参照信号を受信する第２のリソースにおいて、同様に第２の参照信号を受信するよう要求する第２のリソース設定リクエストを、隣接基地局１００Ｂ及び１００Ｃに送信する（ステップＳ４０８）。
【０１５８】
次に、隣接基地局１００Ｂ及び１００Ｃは、第２のリソースの設定レスポンスをサービング基地局１００Ａに返信する（ステップＳ４１０）。ここで、隣接基地局１００Ｂ及び１００Ｃは、第２のリソース設定リクエストを承諾する場合、第２のリソース設定リクエストが示す第２のリソースを受信対象として設定して、設定ＯＫの旨を第２のリソースの設定レスポンスに含めて返信する。他方、隣接基地局１００Ｂ及び１００Ｃは、第２のリソース設定リクエストを承諾しない場合、設定ＮＧの旨を第２のリソースの設定レスポンスに含めて返信する。ＮＧの場合、サービング基地局１００、隣接基地局１００Ｂ及び１００Ｃの間で、どのリソースを第２のリソースとして用いるかの交渉のためのメッセージ交換が行われる。
【０１５９】
次いで、サービング基地局１００Ａは、第２のリソース設定情報を端末装置２００に送信する（ステップＳ４１２）。この第２のリソース設定情報には、サービング基地局１００Ａ、隣接基地局１００Ｂ及び１００Ｃが第２の参照信号を受信する、共通する第２のリソースを示す情報が含まれる。
【０１６０】
そして、端末装置２００は、第２のリソース設定情報が示すリソースにおいて、アップリンクで第２の参照信号を送信する（ステップＳ４１４）。なお、ここでの端末装置２００による送信は、ビームフォーミングを伴わない１度の送信である。
【０１６１】
他方、サービング基地局１００Ａ、隣接基地局１００Ｂ及び１００Ｃは、共通する第２のリソースにおいて、各々が選択した第１のビームの照射範囲を細分化した照射範囲を有する第２のビームを用いたＲＸビームスィーピングを行いながら第２の参照信号を受信する（ステップＳ４１６）。その際、サービング基地局１００Ａ、隣接基地局１００Ｂ及び１００Ｃは、第２の参照信号の受信結果に基づいて、各々にとって端末装置２００との通信に適する第２のビームを選択する。隣接基地局１００及び１００Ｃは、選択結果をサービング基地局１００Ａに通知してもよい。
【０１６２】
次に、サービング基地局１００Ａは、アップリンク及びダウンリンクのスケジュール情報を、隣接基地局１００Ｂ及び１００Ｃに通知し（ステップＳ４１８）、端末装置２００に通知する（ステップＳ４２０）。
【０１６３】
次いで、サービング基地局１００Ａ、隣接基地局１００及び１００Ｃは、スケジュール情報が示すリソースにおいて、各々が選択した第２のビームを用いて、ダウンリンクでユーザデータを送信する（ステップＳ４２２）。端末装置２００は、スケジュール情報が示すリソースにおいて、ユーザデータを受信する。なお、ここでの端末装置２００による受信は、ビームフォーミングを伴わない１度の受信である。
【０１６４】
次に、端末装置２００は、スケジュール情報が示すリソースにおいて、アップリンクでユーザデータを送信する（ステップＳ４２４）。なお、ここでの端末装置２００による送信は、ビームフォーミングを伴わない１度の送信である。
【０１６５】
次に、サービング基地局１００Ａ、隣接基地局１００Ｂ及び１００Ｃは、各々が選択した第２のビームを用いて、スケジュール情報が示す各々のリソースにおいて、端末装置２００からのユーザデータを受信する（ステップＳ４２６）
【０１６６】
・第２の例
図２２は、本実施形態に係るシステム１において実行されるビームアソシエーション処理の流れの一例を示すシーケンス図である。本シーケンスは、第２のリソース設定情報が、第１のビームの選択前に通知される場合の例である。図２２に示すように、本シーケンスには、サービング基地局１００Ａ、隣接基地局１００Ｂ、隣接基地局１００Ｃ、及び端末装置２００が関与する。
【０１６７】
まず、サービング基地局１００Ａは、サービング基地局１００Ａ、隣接基地局１００Ｂ及び１００Ｃの第１のリソース設定情報を端末装置２００に送信する（ステップＳ５０２）。
【０１６８】
次に、サービング基地局１００Ａは、第２のリソース設定情報を端末装置２００に送信する（ステップＳ５０４）。この第２のリソース設定情報には、サービング基地局１００Ａ、隣接基地局１００Ｂ及び１００Ｃが第２の参照信号を受信する、共通する第２のリソースの候補を示す情報が含まれる。
【０１６９】
次いで、サービング基地局１００Ａ、隣接基地局１００Ｂ及び１００Ｃは、各々の第１のビームを用いたＴＸビームスィーピングを行いながら、第１のリソース設定情報が示す各々の第１のリソースにおいて第１の参照信号を送信する（ステップＳ５０６）。このＴＸビームスィーピングは、各々の基地局固有のＴＸビームスィーピングパターンで行われてもよい。
【０１７０】
次に、端末装置２００は、サービング基地局１００Ａ、隣接基地局１００Ｂ及び１００Ｃから第１のビームを用いて送信された第１の参照信号の受信結果を含む第１の報告情報を、サービング基地局１００Ａに報告する（ステップＳ５０８）。
【０１７１】
次いで、サービング基地局１００Ａは、第１の報告情報に基づいて第１のビームを選択し、第１のビームの照射範囲を細分化した照射範囲を有する第２のビームに対応する第２のリソースを、端末装置２００からの第２の参照信号を受信する第２のリソースとして設定する。そして、サービング基地局１００Ａは、自身が第２の参照信号を受信する第２のリソースにおいて、同様に第２の参照信号を受信するよう要求する第２のリソース設定リクエストを、隣接基地局１００Ｂ及び１００Ｃに送信する（ステップＳ５１０）。
【０１７２】
次に、隣接基地局１００Ｂ及び１００Ｃは、第２のリソースの設定レスポンスをサービング基地局１００Ａに返信する（ステップＳ５１２）。ここで、隣接基地局１００Ｂ及び１００Ｃは、第２のリソース設定リクエストを承諾する場合、第２のリソース設定リクエストが示す第２のリソースを受信対象として設定して、設定ＯＫの旨を第２のリソースの設定レスポンスに含めて返信する。他方、隣接基地局１００Ｂ及び１００Ｃは、第２のリソース設定リクエストを承諾しない場合、設定ＮＧの旨を第２のリソースの設定レスポンスに含めて返信する。ＮＧの場合、サービング基地局１００、隣接基地局１００Ｂ及び１００Ｃの間で、どのリソースを第２のリソースとして用いるかの交渉のためのメッセージ交換が行われる。
【０１７３】
そして、端末装置２００は、第２のリソース設定情報に基づいて選択した第２のリソースにおいて、第２の参照信号を送信する（ステップＳ５１４）。詳しくは、まず、端末装置２００は、サービング基地局１００からの第１の参照信号の受信結果に基づいて、サービング基地局１００の第１のビームのうち適切な第１のビームを選択する。そして、端末装置２００は、第２のリソース設定情報が示す第２のリソースの候補のうち、選択したサービング基地局１００の第１のビームの照射範囲を細分化した照射範囲を有する第２のビームに対応する第２のリソースにおいて、第２の参照信号を送信する。なお、ここでの端末装置２００による送信は、ビームフォーミングを伴わない１度の送信である。
【０１７４】
他方、サービング基地局１００Ａ、隣接基地局１００Ｂ及び１００Ｃは、共通する第２のリソースにおいて、各々が選択した第１のビームの照射範囲を細分化した照射範囲を有する第２のビームを用いたＲＸビームスィーピングを行いながら第２の参照信号を受信する（ステップＳ５１６）。その際、サービング基地局１００Ａ、隣接基地局１００Ｂ及び１００Ｃは、第２の参照信号の受信結果に基づいて、各々にとって端末装置２００との通信に適する第２のビームを選択する。隣接基地局１００及び１００Ｃは、選択結果をサービング基地局１００Ａに通知してもよい。
【０１７５】
次に、サービング基地局１００Ａは、アップリンク及びダウンリンクのスケジュール情報を、隣接基地局１００Ｂ及び１００Ｃに通知し（ステップＳ５１８）、端末装置２００に通知する（ステップＳ５２０）。
【０１７６】
次いで、サービング基地局１００Ａ、隣接基地局１００及び１００Ｃは、スケジュール情報が示すリソースにおいて、各々が選択した第２のビームを用いて、ダウンリンクでユーザデータを送信する（ステップＳ５２２）。端末装置２００は、スケジュール情報が示すリソースにおいて、ユーザデータを受信する。なお、ここでの端末装置２００による受信は、ビームフォーミングを伴わない１度の受信である。
【０１７７】
次に、端末装置２００は、スケジュール情報が示すリソースにおいて、アップリンクでユーザデータを送信する（ステップＳ５２４）。なお、ここでの端末装置２００による送信は、ビームフォーミングを伴わない１度の送信である。
【０１７８】
次に、サービング基地局１００Ａ、隣接基地局１００Ｂ及び１００Ｃは、各々が選択した第２のビームを用いて、スケジュール情報が示す各々のリソースにおいて、端末装置２００からのユーザデータを受信する（ステップＳ５２６）。
【０１７９】
（２）リソース設定
リソース設定は多様に考えられる。以下、図２３〜図２７を参照して、リソース設定の一例を説明する。
【０１８０】
・第１の例
図２３は、本実施形態に係るリソース設定の一例を説明するための図である。図２３では、横軸が時間であり、縦軸が周波数であり、１つの矩形が１つのビームを用いて送信される参照信号のためのリソースを示している。区間１２Ａ〜１２Ｃに含まれるリソースは第１のリソースであり、ＤＬでの第１の参照信号の送受信に用いられる。また、区間１３Ａ〜１３Ｃに含まれるリソースは第２のリソースであり、ＵＬでの第２の参照信号の送受信に用いられる。区間１２Ａ及び１３Ａに含まれるリソースは、例えばサービング基地局１００Ａにより用いられ、区間１２Ａに含まれる第１のリソースと区間１３Ａに含まれる第２のリソースとが対応付けられる。区間１２Ｂ及び１３Ｂに含まれるリソースは、例えば隣接基地局１００Ｂにより用いられ、区間１２Ｂに含まれる第１のリソースと区間１３Ｂに含まれる第２のリソースとが対応付けられる。区間１２Ｃ及び１３Ｃに含まれるリソースは、例えば隣接基地局１００Ｃにより用いられ、区間１２Ｃに含まれる第１のリソースと区間１３Ｃに含まれる第２のリソースとが対応付けられる。
【０１８１】
図２３に示したように、各々の基地局１００のリソースは、時間領域で分離されていてもよい。換言すると、サービング基地局１００Ａは、自身の第１のリソース及び第２のリソースを、他の隣接基地局１００Ｂ及び１００Ｃの第１のリソース及び第２のリソースと時間方向で多重してもよい。ここで、基地局１００ごとにリソースが設定される理由は、基地局１００ごとに接続する端末装置２００が異なり、且つ端末装置２００ごとに連携する（即ち、ビームアソシエーションを行う）基地局１００が異なるためである。仮に、複数の基地局１００が共通するリソースを用いる場合、各々の基地局１００が行うビームスィーピングにより不要な干渉が生じ、ビームスィーピングの手続きがうまく動作しなくなるおそれがある。
【０１８２】
図２３に示した例では、サービング基地局１００Ａはグループ１５Ａに含まれる第１のリソースに対応する第１のビームを選択したものとする。端末装置２００は、サービング基地局１００Ａにより選択された第１のビームに対応するグループ１５Ａに含まれる第１のリソースに対応付けられたグループ１６に含まれる第２のリソースにおいて、第２の参照信号を送信する。そして、サービング基地局１００Ａは、グループ１６に含まれる第２のリソースにおいて、第２の参照信号を受信する。他方、隣接基地局１００Ｂはグループ１５Ｂに含まれる第１のリソースに対応する第１のビームを選択し、隣接基地局１００Ｃはグループ１５Ｃに含まれる第１のリソースに対応する第１のビームを選択したものとする。隣接基地局１００Ｂ及び１００Ｃは、自身の第１のビームの選択結果によらず、サービング基地局１００Ａと共通するグループ１６に含まれる第２のリソースにおいて、第２の参照信号を受信する。このように、複数の基地局１００が同一の第２のリソースにおいて第２の参照信号を受信するので、端末装置２００は、第２の参照信号を何度も送信せずにすみ、消費電力を低減させることが可能となる。
【０１８３】
・第２の例
図２４は、本実施形態に係るリソース設定の一例を説明するための図である。図２４では、横軸が時間であり、縦軸が周波数であり、１つの矩形が１つのビームを用いて送信される参照信号のためのリソースを示している。区間１２に含まれるリソースは第１のリソースであり、ＤＬでの第１の参照信号の送受信に用いられる。また、区間１３に含まれるリソースは第２のリソースであり、ＵＬでの第２の参照信号の送受信に用いられる。周波数帯域１７Ａに含まれるリソースは、主にサービング基地局１００Ａにより用いられ、周波数帯域１７Ａ及び区間１２に含まれる第１のリソースと周波数帯域１７Ａ及び区間１３に含まれる第２のリソースとが対応付けられる。周波数帯域１７Ｂに含まれるリソースは、主に隣接基地局１００Ｂにより用いられ、周波数帯域１７Ｂ及び区間１２に含まれる第１のリソースと周波数帯域１７Ｂ及び区間１３に含まれる第２のリソースとが対応付けられる。周波数帯域１７Ｃに含まれるリソースは、主に隣接基地局１００Ｃにより用いられ、周波数帯域１７Ｃ及び区間１２に含まれる第１のリソースと周波数帯域１７Ｃ及び区間１３に含まれる第２のリソースとが対応付けられる。
【０１８４】
図２４に示したように、各々の基地局１００のリソースは、周波数領域で分離されていてもよい。換言すると、サービング基地局１００Ａは、自身の第１のリソース及び第２のリソースを、他の隣接基地局１００Ｂ及び１００Ｃの第１のリソース及び第２のリソースと周波数方向で多重してもよい。
【０１８５】
図２４に示した例では、サービング基地局１００Ａはグループ１５Ａに含まれる第１のリソースに対応する第１のビームを選択したものとする。端末装置２００は、サービング基地局１００Ａにより選択された第１のビームに対応するグループ１５Ａに含まれる第１のリソースに対応付けられたグループ１６に含まれる第２のリソースにおいて、第２の参照信号を送信する。そして、サービング基地局１００Ａは、グループ１６に含まれる第２のリソースにおいて、第２の参照信号を受信する。他方、隣接基地局１００Ｂはグループ１５Ｂに含まれる第１のリソースに対応する第１のビームを選択し、隣接基地局１００Ｃはグループ１５Ｃに含まれる第１のリソースに対応する第１のビームを選択したものとする。隣接基地局１００Ｂ及び１００Ｃは、自身の第１のビームの選択結果によらず、サービング基地局１００Ａと共通するグループ１６に含まれる第２のリソースにおいて、第２の参照信号を受信する。このように、複数の基地局１００が同一の第２のリソースにおいて第２の参照信号を受信するので、端末装置２００は、第２の参照信号を何度も送信せずにすみ、消費電力を低減させることが可能となる。
【０１８６】
・第３の例
図２５は、本実施形態に係るリソース設定の一例を説明するための図である。図２５では、横軸が時間であり、縦軸が周波数であり、１つの矩形が１つのビームを用いて送信される参照信号のためのリソースを示している。区間１２Ａ〜１２Ｃに含まれ、各グループに含まれるリソースは、第１のリソースであり、ＤＬでの第１の参照信号の送受信に用いられる。また、区間１３に含まれ、グループ１６に含まれるリソースは、第２のリソースであり、ＵＬでの第２の参照信号の送受信に用いられる。グループ１６に含まれるリソースは、端末装置２００に個別に、且つ複数の基地局１００で共通して、第２のリソースとして設定される。
【０１８７】
図２５に示した例では、サービング基地局１００Ａはグループ１５Ａに含まれる第１のリソースに対応する第１のビームを選択したものとする。端末装置２００は、サービング基地局１００Ａにより個別に設定されたグループ１６に含まれる第２のリソースにおいて、第２の参照信号を送信する。そして、サービング基地局１００Ａは、自身の第１のビームの選択結果によらず、端末装置２００に個別に設定されたグループ１６に含まれる第２のリソースにおいて、第２の参照信号を受信する。他方、隣接基地局１００Ｂはグループ１５Ｂに含まれる第１のリソースに対応する第１のビームを選択し、隣接基地局１００Ｃはグループ１５Ｃに含まれる第１のリソースに対応する第１のビームを選択したものとする。隣接基地局１００Ｂ及び１００Ｃは、自身の第１のビームの選択結果によらず、端末装置２００に個別に設定されたグループ１６に含まれる第２のリソースにおいて、第２の参照信号を受信する。このように、複数の基地局１００が同一の第２のリソースにおいて第２の参照信号を受信するので、端末装置２００は、第２の参照信号を何度も送信せずにすみ、消費電力を低減させることが可能となる。
【０１８８】
・第４の例
図２５では、複数の基地局１００の第１のリソースが時間方向で多重される例を示したが、周波数方向で多重されてもよい。その場合のリソース設定の一例を、図２６を参照して説明する。
【０１８９】
図２６は、本実施形態に係るリソース設定の一例を説明するための図である。図２６では、横軸が時間であり、縦軸が周波数であり、１つの矩形が１つのビームを用いて送信される参照信号のためのリソースを示している。区間１２に含まれるリソースは第１のリソースであり、ＤＬでの第１の参照信号の送受信に用いられる。また、区間１３に含まれるリソースは第２のリソースであり、ＵＬでの第２の参照信号の送受信に用いられる。周波数帯域１７Ａに含まれるリソースは、主にサービング基地局１００Ａにより用いられる。周波数帯域１７Ｂに含まれるリソースは、主に隣接基地局１００Ｂにより用いられる。周波数帯域１７Ｃに含まれるリソースは、主に隣接基地局１００Ｃにより用いられる。ここで、グループ１６に含まれるリソースは、端末装置２００に個別に、且つ複数の基地局１００で共通して、第２のリソースとして設定される。
【０１９０】
図２６に示した例では、サービング基地局１００Ａはグループ１５Ａに含まれる第１のリソースに対応する第１のビームを選択したものとする。端末装置２００は、サービング個別に設定されたグループ１６に含まれる第２のリソースにおいて、第２の参照信号を送信する。そして、サービング基地局１００Ａは、自身の第１のビームの選択結果によらず、端末装置２００に個別に設定されたグループ１６に含まれる第２のリソースにおいて、第２の参照信号を受信する。他方、隣接基地局１００Ｂはグループ１５Ｂに含まれる第１のリソースに対応する第１のビームを選択し、隣接基地局１００Ｃはグループ１５Ｃに含まれる第１のリソースに対応する第１のビームを選択したものとする。隣接基地局１００Ｂ及び１００Ｃは、自身の第１のビームの選択結果によらず、端末装置２００に個別に設定されたグループ１６に含まれる第２のリソースにおいて、第２の参照信号を受信する。このように、複数の基地局１００が同一の第２のリソースにおいて第２の参照信号を受信するので、端末装置２００は、第２の参照信号を何度も送信せずにすみ、消費電力を低減させることが可能となる。
【０１９１】
・第５の例
これまで、第２のリソースが一か所にまとめられた例を示したが、第２のリソースが複数設定されてもよい。換言すると、第２のリソースは、ひとつの第２のビームに対して複数設けられてもよい。この場合、端末装置２００は、複数回第２の参照信号を送信することになる。基地局１００は、リソースの状態によっては、端末装置２００から１か所のリソースにおいて送信される第２の参照信号を受信することが困難な場合がある。この点、複数個所のリソースにおいて第２の参照信号が送信されることで、基地局１００は、より確実に第２の参照信号を受信して第２のビームを選択することが可能となる。このことは、ひとつの端末装置２００に対してビームアソシエーションを行う基地局１００の数が増加するほど効果的である。この場合のリソース設定の一例を、図２７を参照して説明する。
【０１９２】
図２７は、本実施形態に係るリソース設定の一例を説明するための図である。図２７では、横軸が時間であり、縦軸が周波数であり、１つの矩形が１つのビームを用いて送信される参照信号のためのリソースを示している。区間１２に含まれるリソースは第１のリソースであり、ＤＬでの第１の参照信号の送受信に用いられる。また、区間１３に含まれるリソースは第２のリソースであり、ＵＬでの第２の参照信号の送受信に用いられる。周波数帯域１７Ａに含まれるリソースは、主にサービング基地局１００Ａにより用いられる。周波数帯域１７Ｂに含まれるリソースは、主に隣接基地局１００Ｂにより用いられる。周波数帯域１７Ｃに含まれるリソースは、主に隣接基地局１００Ｃにより用いられる。ここで、グループ１６Ａ及び１６Ｂに含まれるリソースは、端末装置２００に個別に、且つ複数の基地局１００で共通して、第２のリソースとして設定される。
【０１９３】
図２７に示した例では、サービング基地局１００Ａはグループ１５Ａに含まれる第１のリソースに対応する第１のビームを選択したものとする。端末装置２００は、サービング個別に設定されたグループ１６Ａ及び１６Ｂに含まれる第２のリソースにおいて、第２の参照信号を送信する。そして、サービング基地局１００Ａは、自身の第１のビームの選択結果によらず、端末装置２００に個別に設定されたグループ１６Ａ又は１６Ｂの少なくともいずれかに含まれる第２のリソースにおいて、第２の参照信号を受信する。他方、隣接基地局１００Ｂはグループ１５Ｂに含まれる第１のリソースに対応する第１のビームを選択し、隣接基地局１００Ｃはグループ１５Ｃに含まれる第１のリソースに対応する第１のビームを選択したものとする。隣接基地局１００Ｂ及び１００Ｃは、自身の第１のビームの選択結果によらず、端末装置２００に個別に設定されたグループ１６Ａ又は１６Ｂの少なくともいずれかに含まれる第２のリソースにおいて、第２の参照信号を受信する。このように、複数の基地局１００が同一の第２のリソースにおいて第２の参照信号を受信するので、端末装置２００は、第２の参照信号を何度も送信せずにすみ、消費電力を低減させることが可能となる。
【０１９４】
＜＜５．応用例＞＞
本開示に係る技術は、様々な製品へ応用可能である。例えば、基地局１００は、マクロｅＮＢ又はスモールｅＮＢなどのいずれかの種類のｅＮＢ（evolved  Node  B）として実現されてもよい。スモールｅＮＢは、ピコｅＮＢ、マイクロｅＮＢ又はホーム（フェムト）ｅＮＢなどの、マクロセルよりも小さいセルをカバーするｅＮＢであってよい。その代わりに、基地局１００は、ＮｏｄｅＢ又はＢＴＳ（Base  Transceiver  Station）などの他の種類の基地局として実現されてもよい。基地局１００は、無線通信を制御する本体（基地局装置ともいう）と、本体とは別の場所に配置される１つ以上のＲＲＨ（Remote  Radio  Head）とを含んでもよい。また、後述する様々な種類の端末が一時的に又は半永続的に基地局機能を実行することにより、基地局１００として動作してもよい。
【０１９５】
また、例えば、端末装置２００は、スマートフォン、タブレットＰＣ（Personal  Computer）、ノートＰＣ、携帯型ゲーム端末、携帯型／ドングル型のモバイルルータ若しくはデジタルカメラなどのモバイル端末、又はカーナビゲーション装置などの車載端末として実現されてもよい。また、端末装置２００は、Ｍ２Ｍ（Machine  To  Machine）通信を行う端末（ＭＴＣ（Machine  Type  Communication）端末ともいう）として実現されてもよい。さらに、端末装置２００は、これら端末に搭載される無線通信モジュール（例えば、１つのダイで構成される集積回路モジュール）であってもよい。
【０１９６】
＜５．１．基地局に関する応用例＞
（第１の応用例）
図２８は、本開示に係る技術が適用され得るｅＮＢの概略的な構成の第１の例を示すブロック図である。ｅＮＢ８００は、１つ以上のアンテナ８１０、及び基地局装置８２０を有する。各アンテナ８１０及び基地局装置８２０は、ＲＦケーブルを介して互いに接続され得る。
【０１９７】
アンテナ８１０の各々は、単一の又は複数のアンテナ素子（例えば、ＭＩＭＯアンテナを構成する複数のアンテナ素子）を有し、基地局装置８２０による無線信号の送受信のために使用される。ｅＮＢ８００は、図２８に示したように複数のアンテナ８１０を有し、複数のアンテナ８１０は、例えばｅＮＢ８００が使用する複数の周波数帯域にそれぞれ対応してもよい。なお、図２８にはｅＮＢ８００が複数のアンテナ８１０を有する例を示したが、ｅＮＢ８００は単一のアンテナ８１０を有してもよい。
【０１９８】
基地局装置８２０は、コントローラ８２１、メモリ８２２、ネットワークインタフェース８２３及び無線通信インタフェース８２５を備える。
【０１９９】
コントローラ８２１は、例えばＣＰＵ又はＤＳＰであってよく、基地局装置８２０の上位レイヤの様々な機能を動作させる。例えば、コントローラ８２１は、無線通信インタフェース８２５により処理された信号内のデータからデータパケットを生成し、生成したパケットをネットワークインタフェース８２３を介して転送する。コントローラ８２１は、複数のベースバンドプロセッサからのデータをバンドリングすることによりバンドルドパケットを生成し、生成したバンドルドパケットを転送してもよい。また、コントローラ８２１は、無線リソース管理（Radio  Resource  Control）、無線ベアラ制御（Radio  Bearer  Control）、移動性管理（Mobility  Management）、流入制御（Admission  Control）又はスケジューリング（Scheduling）などの制御を実行する論理的な機能を有してもよい。また、当該制御は、周辺のｅＮＢ又はコアネットワークノードと連携して実行されてもよい。メモリ８２２は、ＲＡＭ及びＲＯＭを含み、コントローラ８２１により実行されるプログラム、及び様々な制御データ（例えば、端末リスト、送信電力データ及びスケジューリングデータなど）を記憶する。
【０２００】
ネットワークインタフェース８２３は、基地局装置８２０をコアネットワーク８２４に接続するための通信インタフェースである。コントローラ８２１は、ネットワークインタフェース８２３を介して、コアネットワークノード又は他のｅＮＢと通信してもよい。その場合に、ｅＮＢ８００と、コアネットワークノード又は他のｅＮＢとは、論理的なインタフェース（例えば、Ｓ１インタフェース又はＸ２インタフェース）により互いに接続されてもよい。ネットワークインタフェース８２３は、有線通信インタフェースであってもよく、又は無線バックホールのための無線通信インタフェースであってもよい。ネットワークインタフェース８２３が無線通信インタフェースである場合、ネットワークインタフェース８２３は、無線通信インタフェース８２５により使用される周波数帯域よりもより高い周波数帯域を無線通信に使用してもよい。
【０２０１】
無線通信インタフェース８２５は、ＬＴＥ（Long  Term  Evolution）又はＬＴＥ−Ａｄｖａｎｃｅｄなどのいずれかのセルラー通信方式をサポートし、アンテナ８１０を介して、ｅＮＢ８００のセル内に位置する端末に無線接続を提供する。無線通信インタフェース８２５は、典型的には、ベースバンド（ＢＢ）プロセッサ８２６及びＲＦ回路８２７などを含み得る。ＢＢプロセッサ８２６は、例えば、符号化／復号、変調／復調及び多重化／逆多重化などを行なってよく、各レイヤ（例えば、Ｌ１、ＭＡＣ（Medium  Access  Control）、ＲＬＣ（Radio  Link  Control）及びＰＤＣＰ（Packet  Data  Convergence  Protocol））の様々な信号処理を実行する。ＢＢプロセッサ８２６は、コントローラ８２１の代わりに、上述した論理的な機能の一部又は全部を有してもよい。ＢＢプロセッサ８２６は、通信制御プログラムを記憶するメモリ、当該プログラムを実行するプロセッサ及び関連する回路を含むモジュールであってもよく、ＢＢプロセッサ８２６の機能は、上記プログラムのアップデートにより変更可能であってもよい。また、上記モジュールは、基地局装置８２０のスロットに挿入されるカード若しくはブレードであってもよく、又は上記カード若しくは上記ブレードに搭載されるチップであってもよい。一方、ＲＦ回路８２７は、ミキサ、フィルタ及びアンプなどを含んでもよく、アンテナ８１０を介して無線信号を送受信する。
【０２０２】
無線通信インタフェース８２５は、図２８に示したように複数のＢＢプロセッサ８２６を含み、複数のＢＢプロセッサ８２６は、例えばｅＮＢ８００が使用する複数の周波数帯域にそれぞれ対応してもよい。また、無線通信インタフェース８２５は、図２８に示したように複数のＲＦ回路８２７を含み、複数のＲＦ回路８２７は、例えば複数のアンテナ素子にそれぞれ対応してもよい。なお、図２８には無線通信インタフェース８２５が複数のＢＢプロセッサ８２６及び複数のＲＦ回路８２７を含む例を示したが、無線通信インタフェース８２５は単一のＢＢプロセッサ８２６又は単一のＲＦ回路８２７を含んでもよい。
【０２０３】
図２８に示したｅＮＢ８００において、図１１を参照して説明した処理部１５０に含まれる１つ以上の構成要素（選択部１５１、通知部１５３及び／又は通信制御部１５５）は、無線通信インタフェース８２５において実装されてもよい。あるいは、これらの構成要素の少なくとも一部は、コントローラ８２１において実装されてもよい。一例として、ｅＮＢ８００は、無線通信インタフェース８２５の一部（例えば、ＢＢプロセッサ８２６）若しくは全部、及び／又はコントローラ８２１を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがｅＮＢ８００にインストールされ、無線通信インタフェース８２５（例えば、ＢＢプロセッサ８２６）及び／又はコントローラ８２１が当該プログラムを実行してもよい。以上のように、上記１つ以上の構成要素を備える装置としてｅＮＢ８００、基地局装置８２０又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０２０４】
また、図２８に示したｅＮＢ８００において、図１１を参照して説明した無線通信部１２０は、無線通信インタフェース８２５（例えば、ＲＦ回路８２７）において実装されてもよい。また、アンテナ部１１０は、アンテナ８１０において実装されてもよい。また、ネットワーク通信部１３０は、コントローラ８２１及び／又はネットワークインタフェース８２３において実装されてもよい。また、記憶部１４０は、メモリ８２２において実装されてもよい。
【０２０５】
（第２の応用例）
図２９は、本開示に係る技術が適用され得るｅＮＢの概略的な構成の第２の例を示すブロック図である。ｅＮＢ８３０は、１つ以上のアンテナ８４０、基地局装置８５０、及びＲＲＨ８６０を有する。各アンテナ８４０及びＲＲＨ８６０は、ＲＦケーブルを介して互いに接続され得る。また、基地局装置８５０及びＲＲＨ８６０は、光ファイバケーブルなどの高速回線で互いに接続され得る。
【０２０６】
アンテナ８４０の各々は、単一の又は複数のアンテナ素子（例えば、ＭＩＭＯアンテナを構成する複数のアンテナ素子）を有し、ＲＲＨ８６０による無線信号の送受信のために使用される。ｅＮＢ８３０は、図２９に示したように複数のアンテナ８４０を有し、複数のアンテナ８４０は、例えばｅＮＢ８３０が使用する複数の周波数帯域にそれぞれ対応してもよい。なお、図２９にはｅＮＢ８３０が複数のアンテナ８４０を有する例を示したが、ｅＮＢ８３０は単一のアンテナ８４０を有してもよい。
【０２０７】
基地局装置８５０は、コントローラ８５１、メモリ８５２、ネットワークインタフェース８５３、無線通信インタフェース８５５及び接続インタフェース８５７を備える。コントローラ８５１、メモリ８５２及びネットワークインタフェース８５３は、図２８を参照して説明したコントローラ８２１、メモリ８２２及びネットワークインタフェース８２３と同様のものである。
【０２０８】
無線通信インタフェース８５５は、ＬＴＥ又はＬＴＥ−Ａｄｖａｎｃｅｄなどのいずれかのセルラー通信方式をサポートし、ＲＲＨ８６０及びアンテナ８４０を介して、ＲＲＨ８６０に対応するセクタ内に位置する端末に無線接続を提供する。無線通信インタフェース８５５は、典型的には、ＢＢプロセッサ８５６などを含み得る。ＢＢプロセッサ８５６は、接続インタフェース８５７を介してＲＲＨ８６０のＲＦ回路８６４と接続されることを除き、図２８を参照して説明したＢＢプロセッサ８２６と同様のものである。無線通信インタフェース８５５は、図２９に示したように複数のＢＢプロセッサ８５６を含み、複数のＢＢプロセッサ８５６は、例えばｅＮＢ８３０が使用する複数の周波数帯域にそれぞれ対応してもよい。なお、図２９には無線通信インタフェース８５５が複数のＢＢプロセッサ８５６を含む例を示したが、無線通信インタフェース８５５は単一のＢＢプロセッサ８５６を含んでもよい。
【０２０９】
接続インタフェース８５７は、基地局装置８５０（無線通信インタフェース８５５）をＲＲＨ８６０と接続するためのインタフェースである。接続インタフェース８５７は、基地局装置８５０（無線通信インタフェース８５５）とＲＲＨ８６０とを接続する上記高速回線での通信のための通信モジュールであってもよい。
【０２１０】
また、ＲＲＨ８６０は、接続インタフェース８６１及び無線通信インタフェース８６３を備える。
【０２１１】
接続インタフェース８６１は、ＲＲＨ８６０（無線通信インタフェース８６３）を基地局装置８５０と接続するためのインタフェースである。接続インタフェース８６１は、上記高速回線での通信のための通信モジュールであってもよい。
【０２１２】
無線通信インタフェース８６３は、アンテナ８４０を介して無線信号を送受信する。無線通信インタフェース８６３は、典型的には、ＲＦ回路８６４などを含み得る。ＲＦ回路８６４は、ミキサ、フィルタ及びアンプなどを含んでもよく、アンテナ８４０を介して無線信号を送受信する。無線通信インタフェース８６３は、図２９に示したように複数のＲＦ回路８６４を含み、複数のＲＦ回路８６４は、例えば複数のアンテナ素子にそれぞれ対応してもよい。なお、図２９には無線通信インタフェース８６３が複数のＲＦ回路８６４を含む例を示したが、無線通信インタフェース８６３は単一のＲＦ回路８６４を含んでもよい。
【０２１３】
図２９に示したｅＮＢ８３０において、図１１を参照して説明した処理部１５０に含まれる１つ以上の構成要素（選択部１５１、通知部１５３及び／又は通信制御部１５５）は、無線通信インタフェース８５５及び／又は無線通信インタフェース８６３において実装されてもよい。あるいは、これらの構成要素の少なくとも一部は、コントローラ８５１において実装されてもよい。一例として、ｅＮＢ８３０は、無線通信インタフェース８５５の一部（例えば、ＢＢプロセッサ８５６）若しくは全部、及び／又はコントローラ８５１を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがｅＮＢ８３０にインストールされ、無線通信インタフェース８５５（例えば、ＢＢプロセッサ８５６）及び／又はコントローラ８５１が当該プログラムを実行してもよい。以上のように、上記１つ以上の構成要素を備える装置としてｅＮＢ８３０、基地局装置８５０又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０２１４】
また、図２９に示したｅＮＢ８３０において、例えば、図１１を参照して説明した無線通信部１２０は、無線通信インタフェース８６３（例えば、ＲＦ回路８６４）において実装されてもよい。また、アンテナ部１１０は、アンテナ８４０において実装されてもよい。また、ネットワーク通信部１３０は、コントローラ８５１及び／又はネットワークインタフェース８５３において実装されてもよい。また、記憶部１４０は、メモリ８５２において実装されてもよい。
【０２１５】
＜５．２．端末装置に関する応用例＞
（第１の応用例）
図３０は、本開示に係る技術が適用され得るスマートフォン９００の概略的な構成の一例を示すブロック図である。スマートフォン９００は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２、１つ以上のアンテナスイッチ９１５、１つ以上のアンテナ９１６、バス９１７、バッテリー９１８及び補助コントローラ９１９を備える。
【０２１６】
プロセッサ９０１は、例えばＣＰＵ又はＳｏＣ（System  on  Chip）であってよく、スマートフォン９００のアプリケーションレイヤ及びその他のレイヤの機能を制御する。メモリ９０２は、ＲＡＭ及びＲＯＭを含み、プロセッサ９０１により実行されるプログラム及びデータを記憶する。ストレージ９０３は、半導体メモリ又はハードディスクなどの記憶媒体を含み得る。外部接続インタフェース９０４は、メモリーカード又はＵＳＢ（Universal  Serial  Bus）デバイスなどの外付けデバイスをスマートフォン９００へ接続するためのインタフェースである。
【０２１７】
カメラ９０６は、例えば、ＣＣＤ（Charge  Coupled  Device）又はＣＭＯＳ（Complementary  Metal  Oxide  Semiconductor）などの撮像素子を有し、撮像画像を生成する。センサ９０７は、例えば、測位センサ、ジャイロセンサ、地磁気センサ及び加速度センサなどのセンサ群を含み得る。マイクロフォン９０８は、スマートフォン９００へ入力される音声を音声信号へ変換する。入力デバイス９０９は、例えば、表示デバイス９１０の画面上へのタッチを検出するタッチセンサ、キーパッド、キーボード、ボタン又はスイッチなどを含み、ユーザからの操作又は情報入力を受け付ける。表示デバイス９１０は、液晶ディスプレイ（ＬＣＤ）又は有機発光ダイオード（ＯＬＥＤ）ディスプレイなどの画面を有し、スマートフォン９００の出力画像を表示する。スピーカ９１１は、スマートフォン９００から出力される音声信号を音声に変換する。
【０２１８】
無線通信インタフェース９１２は、ＬＴＥ又はＬＴＥ−Ａｄｖａｎｃｅｄなどのいずれかのセルラー通信方式をサポートし、無線通信を実行する。無線通信インタフェース９１２は、典型的には、ＢＢプロセッサ９１３及びＲＦ回路９１４などを含み得る。ＢＢプロセッサ９１３は、例えば、符号化／復号、変調／復調及び多重化／逆多重化などを行なってよく、無線通信のための様々な信号処理を実行する。一方、ＲＦ回路９１４は、ミキサ、フィルタ及びアンプなどを含んでもよく、アンテナ９１６を介して無線信号を送受信する。無線通信インタフェース９１２は、ＢＢプロセッサ９１３及びＲＦ回路９１４を集積したワンチップのモジュールであってもよい。無線通信インタフェース９１２は、図３０に示したように複数のＢＢプロセッサ９１３及び複数のＲＦ回路９１４を含んでもよい。なお、図３０には無線通信インタフェース９１２が複数のＢＢプロセッサ９１３及び複数のＲＦ回路９１４を含む例を示したが、無線通信インタフェース９１２は単一のＢＢプロセッサ９１３又は単一のＲＦ回路９１４を含んでもよい。
【０２１９】
さらに、無線通信インタフェース９１２は、セルラー通信方式に加えて、近距離無線通信方式、近接無線通信方式又は無線ＬＡＮ（Local  Area  Network）方式などの他の種類の無線通信方式をサポートしてもよく、その場合に、無線通信方式ごとのＢＢプロセッサ９１３及びＲＦ回路９１４を含んでもよい。
【０２２０】
アンテナスイッチ９１５の各々は、無線通信インタフェース９１２に含まれる複数の回路（例えば、異なる無線通信方式のための回路）の間でアンテナ９１６の接続先を切り替える。
【０２２１】
アンテナ９１６の各々は、単一の又は複数のアンテナ素子（例えば、ＭＩＭＯアンテナを構成する複数のアンテナ素子）を有し、無線通信インタフェース９１２による無線信号の送受信のために使用される。スマートフォン９００は、図３０に示したように複数のアンテナ９１６を有してもよい。なお、図３０にはスマートフォン９００が複数のアンテナ９１６を有する例を示したが、スマートフォン９００は単一のアンテナ９１６を有してもよい。
【０２２２】
さらに、スマートフォン９００は、無線通信方式ごとにアンテナ９１６を備えてもよい。その場合に、アンテナスイッチ９１５は、スマートフォン９００の構成から省略されてもよい。
【０２２３】
バス９１７は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２及び補助コントローラ９１９を互いに接続する。バッテリー９１８は、図中に破線で部分的に示した給電ラインを介して、図３０に示したスマートフォン９００の各ブロックへ電力を供給する。補助コントローラ９１９は、例えば、スリープモードにおいて、スマートフォン９００の必要最低限の機能を動作させる。
【０２２４】
図３０に示したスマートフォン９００において、図１２を参照して説明した処理部２４０に含まれる１つ以上の構成要素（取得部２４１及び／又は選択支援部２４３）は、無線通信インタフェース９１２において実装されてもよい。あるいは、これらの構成要素の少なくとも一部は、プロセッサ９０１又は補助コントローラ９１９において実装されてもよい。一例として、スマートフォン９００は、無線通信インタフェース９１２の一部（例えば、ＢＢプロセッサ９１３）若しくは全部、プロセッサ９０１、及び／又は補助コントローラ９１９を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがスマートフォン９００にインストールされ、無線通信インタフェース９１２（例えば、ＢＢプロセッサ９１３）、プロセッサ９０１、及び／又は補助コントローラ９１９が当該プログラムを実行してもよい。以上のように、上記１つ以上の構成要素を備える装置としてスマートフォン９００又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０２２５】
また、図３０に示したスマートフォン９００において、例えば、図１２を参照して説明した無線通信部２２０は、無線通信インタフェース９１２（例えば、ＲＦ回路９１４）において実装されてもよい。また、アンテナ部２１０は、アンテナ９１６において実装されてもよい。また、記憶部２３０は、メモリ９０２において実装されてもよい。
【０２２６】
（第２の応用例）
図３１は、本開示に係る技術が適用され得るカーナビゲーション装置９２０の概略的な構成の一例を示すブロック図である。カーナビゲーション装置９２０は、プロセッサ９２１、メモリ９２２、ＧＰＳ（Global  Positioning  System）モジュール９２４、センサ９２５、データインタフェース９２６、コンテンツプレーヤ９２７、記憶媒体インタフェース９２８、入力デバイス９２９、表示デバイス９３０、スピーカ９３１、無線通信インタフェース９３３、１つ以上のアンテナスイッチ９３６、１つ以上のアンテナ９３７及びバッテリー９３８を備える。
【０２２７】
プロセッサ９２１は、例えばＣＰＵ又はＳｏＣであってよく、カーナビゲーション装置９２０のナビゲーション機能及びその他の機能を制御する。メモリ９２２は、ＲＡＭ及びＲＯＭを含み、プロセッサ９２１により実行されるプログラム及びデータを記憶する。
【０２２８】
ＧＰＳモジュール９２４は、ＧＰＳ衛星から受信されるＧＰＳ信号を用いて、カーナビゲーション装置９２０の位置（例えば、緯度、経度及び高度）を測定する。センサ９２５は、例えば、ジャイロセンサ、地磁気センサ及び気圧センサなどのセンサ群を含み得る。データインタフェース９２６は、例えば、図示しない端子を介して車載ネットワーク９４１に接続され、車速データなどの車両側で生成されるデータを取得する。
【０２２９】
コンテンツプレーヤ９２７は、記憶媒体インタフェース９２８に挿入される記憶媒体（例えば、ＣＤ又はＤＶＤ）に記憶されているコンテンツを再生する。入力デバイス９２９は、例えば、表示デバイス９３０の画面上へのタッチを検出するタッチセンサ、ボタン又はスイッチなどを含み、ユーザからの操作又は情報入力を受け付ける。表示デバイス９３０は、ＬＣＤ又はＯＬＥＤディスプレイなどの画面を有し、ナビゲーション機能又は再生されるコンテンツの画像を表示する。スピーカ９３１は、ナビゲーション機能又は再生されるコンテンツの音声を出力する。
【０２３０】
無線通信インタフェース９３３は、ＬＴＥ又はＬＴＥ−Ａｄｖａｎｃｅｄなどのいずれかのセルラー通信方式をサポートし、無線通信を実行する。無線通信インタフェース９３３は、典型的には、ＢＢプロセッサ９３４及びＲＦ回路９３５などを含み得る。ＢＢプロセッサ９３４は、例えば、符号化／復号、変調／復調及び多重化／逆多重化などを行なってよく、無線通信のための様々な信号処理を実行する。一方、ＲＦ回路９３５は、ミキサ、フィルタ及びアンプなどを含んでもよく、アンテナ９３７を介して無線信号を送受信する。無線通信インタフェース９３３は、ＢＢプロセッサ９３４及びＲＦ回路９３５を集積したワンチップのモジュールであってもよい。無線通信インタフェース９３３は、図３１に示したように複数のＢＢプロセッサ９３４及び複数のＲＦ回路９３５を含んでもよい。なお、図３１には無線通信インタフェース９３３が複数のＢＢプロセッサ９３４及び複数のＲＦ回路９３５を含む例を示したが、無線通信インタフェース９３３は単一のＢＢプロセッサ９３４又は単一のＲＦ回路９３５を含んでもよい。
【０２３１】
さらに、無線通信インタフェース９３３は、セルラー通信方式に加えて、近距離無線通信方式、近接無線通信方式又は無線ＬＡＮ方式などの他の種類の無線通信方式をサポートしてもよく、その場合に、無線通信方式ごとのＢＢプロセッサ９３４及びＲＦ回路９３５を含んでもよい。
【０２３２】
アンテナスイッチ９３６の各々は、無線通信インタフェース９３３に含まれる複数の回路（例えば、異なる無線通信方式のための回路）の間でアンテナ９３７の接続先を切り替える。
【０２３３】
アンテナ９３７の各々は、単一の又は複数のアンテナ素子（例えば、ＭＩＭＯアンテナを構成する複数のアンテナ素子）を有し、無線通信インタフェース９３３による無線信号の送受信のために使用される。カーナビゲーション装置９２０は、図３１に示したように複数のアンテナ９３７を有してもよい。なお、図３１にはカーナビゲーション装置９２０が複数のアンテナ９３７を有する例を示したが、カーナビゲーション装置９２０は単一のアンテナ９３７を有してもよい。
【０２３４】
さらに、カーナビゲーション装置９２０は、無線通信方式ごとにアンテナ９３７を備えてもよい。その場合に、アンテナスイッチ９３６は、カーナビゲーション装置９２０の構成から省略されてもよい。
【０２３５】
バッテリー９３８は、図中に破線で部分的に示した給電ラインを介して、図３１に示したカーナビゲーション装置９２０の各ブロックへ電力を供給する。また、バッテリー９３８は、車両側から給電される電力を蓄積する。
【０２３６】
図３１に示したカーナビゲーション装置９２０において、図１２を参照して説明した処理部２４０に含まれる１つ以上の構成要素（取得部２４１及び／又は選択支援部２４３）は、無線通信インタフェース９３３において実装されてもよい。あるいは、これらの構成要素の少なくとも一部は、プロセッサ９２１において実装されてもよい。一例として、カーナビゲーション装置９２０は、無線通信インタフェース９３３の一部（例えば、ＢＢプロセッサ９３４）若しくは全部及び／又はプロセッサ９２１を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがカーナビゲーション装置９２０にインストールされ、無線通信インタフェース９３３（例えば、ＢＢプロセッサ９３４）及び／又はプロセッサ９２１が当該プログラムを実行してもよい。以上のように、上記１つ以上の構成要素を備える装置としてカーナビゲーション装置９２０又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０２３７】
また、図３１に示したカーナビゲーション装置９２０において、例えば、図１２を参照して説明した無線通信部２２０は、無線通信インタフェース９３３（例えば、ＲＦ回路９３５）において実装されてもよい。また、アンテナ部２１０は、アンテナ９３７において実装されてもよい。また、記憶部２３０は、メモリ９２２において実装されてもよい。
【０２３８】
また、本開示に係る技術は、上述したカーナビゲーション装置９２０の１つ以上のブロックと、車載ネットワーク９４１と、車両側モジュール９４２とを含む車載システム（又は車両）９４０として実現されてもよい。車両側モジュール９４２は、車速、エンジン回転数又は故障情報などの車両側データを生成し、生成したデータを車載ネットワーク９４１へ出力する。
【０２３９】
＜＜６．まとめ＞＞
以上、図１〜図３１を参照して、本開示の一実施形態について詳細に説明した。上記説明したように、本実施形態に係る基地局１００は、複数のアンテナにより形成される予め設定された複数の第１のビームを使用して送信した複数の第１の参照信号の受信結果に基づいて選択された、端末装置２００との通信に適する第１のビームの照射範囲を細分化した照射範囲を有する複数の第２のビームを使用して送信又は受信した、複数の第２の参照信号の受信結果に基づいて端末装置２００との通信に適する第２のビームを選択する。このように、本実施形態に係る基地局１００は、段階的なビームアソシエーションを行うので、効率的なビーム選択が可能である。
【０２４０】
また、基地局１００は、第１の参照信号のための複数の第１のビームに対応する複数の第１のリソースと第２の参照信号のための複数の第２のビームに対応する複数の第２のリソースとの配置関係を示す情報を端末装置２００に通知する。そして、端末装置２００は、通知された第１のリソースと第２のリソースとの配置関係を示すリソース設定情報に基づいて、基地局１００による第２のビームの選択を支援するための処理を行う。本実施形態に係る端末装置２００は、基地局１００における第２のビーム選択を支援するための処理を、リソース設定情報に基づいて行うことで、自身の消費電力を低減することが可能である。
【０２４１】
詳しくは、端末装置２００は、リソース設定情報を参照することで、選択された第１のビームの照射範囲を細分化した照射範囲を有する第２のビームに対応する第２のリソースの位置に限定して、第２の参照信号を受信することが可能である。このように、端末装置２００は、第２の参照信号を受信するリソース数を抑制することで、消費電力を低減することが可能である。さらに、端末装置２００は、リソース設定情報を参照することで、選択された第１のビームの照射範囲を細分化した照射範囲を有する第２のビームに対応する第２のリソースの位置を、基地局１００から通知されずとも認識することができる。よって、端末装置２００は、基地局１００から第２のリソース位置を取得する処理を省略することで、消費電力を低減することが可能である。
【０２４２】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０２４３】
例えば、上記実施形態では、少なくとも第１の参照信号は基地局１００から端末装置２００に送信され、ＴＸビームスィーピングにより第１のビームが選択されるものとしたが、本技術はかかる例に限定されない。第１の参照信号は、端末装置２００から基地局１００に送信されてもよい。その場合、基地局１００は、ＲＸビームスィーピングにより第１のビームを選択することとなる。その後、基地局１００は、ＴＸビームスィーピングにより第２のビームを選択してもよいし、ＲＸビームスィーピングにより第２のビームを選択してもよい。ただし、複数の基地局１００間で、どのリソースを第１のリソースとして用いるか交渉することは煩雑であると考えられるので、基地局１００がＴＸビームスィーピングにより第１のビームを選択することが望ましい。
【０２４４】
また、上記実施形態では、基地局１００のＴＸビーム又はＲＸビームを選択するものとして説明したが、本技術はかかる例に限定されない。同様の技術を用いて、端末装置２００がＴＸビーム又はＲＸビームを選択してもよい。
【０２４５】
また、本明細書においてシーケンス図を用いて説明した処理は、必ずしも図示された順序で実行されなくてもよい。いくつかの処理ステップは、並列的に実行されてもよい。また、追加的な処理ステップが採用されてもよく、一部の処理ステップが省略されてもよい。
【０２４６】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０２４７】
なお、以下のような構成も本開示の技術的範囲に属する。
（１）
複数のアンテナにより形成される予め設定された複数の第１のビームを使用して送信した複数の第１の参照信号の受信結果に基づいて選択された、端末装置との通信に適する第１のビームの照射範囲を細分化した照射範囲を有する複数の第２のビームを使用して送信又は受信した、複数の第２の参照信号の受信結果に基づいて前記端末装置との通信に適する前記第２のビームを選択する選択部と、
前記第１の参照信号のための複数の前記第１のビームに対応する複数の第１のリソースと前記第２の参照信号のための複数の前記第２のビームに対応する複数の第２のリソースとの配置関係を示す情報を前記端末装置に通知する通知部と、
を備える基地局。
（２）
前記選択部は、複数の前記第１のビームの各々を使用して前記第１の参照信号を送信し、前記端末装置から報告された前記第１の参照信号の受信結果を示す第１の報告情報に基づいて前記第１のビームを選択し、選択した前記第１のビームの照射範囲を細分化した照射範囲を有する複数の前記第２のビームの各々を使用して前記第２の参照信号を送信し、前記端末装置から報告された前記第２の参照信号の受信結果を示す第２の報告情報に基づいて前記第２のビームを選択する、前記（１）に記載の基地局。
（３）
前記選択部は、複数の前記第１のビームの各々を使用して前記第１の参照信号を送信し、複数の前記第１のビームの各々の照射範囲を細分化した照射範囲を有する複数の前記第２のビームの各々を使用して前記第２の参照信号を送信し、前記端末装置から報告された前記第２の参照信号の受信結果を示す第２の報告情報に基づいて前記第２のビームを選択する、前記（１）又は（２）に記載の基地局。
（４）
前記第１のリソースよりも後の時間リソースにおいて当該第１のリソースに対応する前記第１のビームの照射範囲を細分化した照射範囲を有する複数の前記第２のビームに対応する複数の前記第２のリソースが配置される、前記（１）〜（３）のいずれか一項に記載の基地局。
（５）
全ての前記第１のリソースよりも後の時間リソースにおいて全ての前記第２のリソースが配置される、前記（１）〜（４）のいずれか一項に記載の基地局。
（６）
前記第１のビームの照射範囲の細分化する照射範囲を有する前記第２のビームの数は可変である、前記（１）〜（５）のいずれか一項に記載の基地局。
（７）
前記選択部は、複数の前記第１のビームの各々を使用して前記第１の参照信号を送信し、前記端末装置から報告された前記第１の参照信号の受信結果を示す第１の報告情報に基づいて前記第１のビームを選択し、前記端末装置から送信された前記第２の参照信号を、選択した前記第１のビームの照射範囲を細分化した照射範囲を有する複数の前記第２のビームの各々を使用して第２のリソースにおいて受信し、受信結果に基づいて前記第２のビームを選択する、前記（１）に記載の基地局。
（８）
前記選択部は、前記第２のリソースを示す情報を隣接基地局に通知し、前記第２のリソースにおいて前記第２の参照信号を受信する、前記（７）に記載の基地局。
（９）
前記選択部は、前記端末装置のサービング基地局の第２のリソースにおいて前記第２の参照信号を受信する、前記（７）に記載の基地局。
（１０）
前記選択部は、前記第１のリソース及び前記第２のリソースを、他の基地局の前記第１のリソース及び前記第２のリソースと時間方向で又は周波数方向で多重する、前記（７）〜（９）のいずれか一項に記載の基地局。
（１１）
前記第２のリソースの配置は、前記端末装置に個別に設定される、前記（７）〜（１０）のいずれか一項に記載の基地局。
（１２）
前記第２のリソースは、ひとつの前記第２のビームに対して複数設けられる、前記（７）〜（１１）のいずれか一項に記載の基地局。
（１３）
端末装置であって、
複数のアンテナにより形成される予め設定された複数の第１のビームを使用して送信した複数の第１の参照信号の受信結果に基づいて選択された、前記端末装置との通信に適する第１のビームの照射範囲を細分化した照射範囲を有する複数の第２のビームを使用して送信又は受信した、複数の第２の参照信号の受信結果に基づいて前記端末装置との通信に適する前記第２のビームを選択する基地局から、前記第１の参照信号のための複数の前記第１のビームに対応する複数の第１のリソースと前記第２の参照信号のための複数の前記第２のビームに対応する複数の第２のリソースとの配置関係を示す情報を取得する取得部と、
前記配置関係を示す情報に基づいて前記基地局による前記第２のビームの選択を支援するための処理を行う選択支援部と、
を備える端末装置。
（１４）
前記選択支援部は、前記配置関係を示す情報を参照して、選択された前記第１のビームの照射範囲を細分化した照射範囲を有する複数の前記第２のビームに対応する複数の前記第２のリソースにおいて前記第２の参照信号を受信し、前記第２の参照信号の受信結果を示す第２の報告情報を前記基地局に報告する、前記（１３）に記載の端末装置。
（１５）
前記選択支援部は、前記第１の参照信号の受信結果を示す第１の報告情報を前記基地局に報告する、前記（１４）に記載の端末装置。
（１６）
前記選択支援部は、前記配置関係を示す情報を参照して、サービング基地局により選択された前記第１のビームの照射範囲を細分化した照射範囲を有する複数の前記第２のビームに対応する複数の前記第２のリソースにおいて前記第２の参照信号を送信する、前記（１３）に記載の端末装置。
（１７）
複数のアンテナにより形成される予め設定された複数の第１のビームを使用して送信した複数の第１の参照信号の受信結果に基づいて選択された、端末装置との通信に適する第１のビームの照射範囲を細分化した照射範囲を有する複数の第２のビームを使用して送信又は受信した、複数の第２の参照信号の受信結果に基づいて前記端末装置との通信に適する前記第２のビームを選択することと、
前記第１の参照信号のための複数の前記第１のビームに対応する複数の第１のリソースと前記第２の参照信号のための複数の前記第２のビームに対応する複数の第２のリソースとの配置関係を示す情報を前記端末装置に通知することと、
を含むプロセッサにより実行される方法。
（１８）
複数のアンテナにより形成される予め設定された複数の第１のビームを使用して送信した複数の第１の参照信号の受信結果に基づいて選択された、端末装置との通信に適する第１のビームの照射範囲を細分化した照射範囲を有する複数の第２のビームを使用して送信又は受信した、複数の第２の参照信号の受信結果に基づいて前記端末装置との通信に適する前記第２のビームを選択する基地局から、前記第１の参照信号のための複数の前記第１のビームに対応する複数の第１のリソースと前記第２の参照信号のための複数の前記第２のビームに対応する複数の第２のリソースとの配置関係を示す情報を取得することと、
前記配置関係を示す情報に基づいて前記基地局による前記第２のビームの選択を支援するための処理を行うことと、
を含むプロセッサにより実行される方法。
（１９）
コンピュータを、
複数のアンテナにより形成される予め設定された複数の第１のビームを使用して送信した複数の第１の参照信号の受信結果に基づいて選択された、端末装置との通信に適する第１のビームの照射範囲を細分化した照射範囲を有する複数の第２のビームを使用して送信又は受信した、複数の第２の参照信号の受信結果に基づいて前記端末装置との通信に適する前記第２のビームを選択する選択部と、
前記第１の参照信号のための複数の前記第１のビームに対応する複数の第１のリソースと前記第２の参照信号のための複数の前記第２のビームに対応する複数の第２のリソースとの配置関係を示す情報を前記端末装置に通知する通知部と、
として機能させるためのプログラムが記録された記録媒体。
（２０）
コンピュータを、
複数のアンテナにより形成される予め設定された複数の第１のビームを使用して送信した複数の第１の参照信号の受信結果に基づいて選択された、端末装置との通信に適する第１のビームの照射範囲を細分化した照射範囲を有する複数の第２のビームを使用して送信又は受信した、複数の第２の参照信号の受信結果に基づいて前記端末装置との通信に適する前記第２のビームを選択する基地局から、前記第１の参照信号のための複数の前記第１のビームに対応する複数の第１のリソースと前記第２の参照信号のための複数の前記第２のビームに対応する複数の第２のリソースとの配置関係を示す情報を取得する取得部と、
前記配置関係を示す情報に基づいて前記基地局による前記第２のビームの選択を支援するための処理を行う選択支援部と、
として機能させるためのプログラムが記録された記録媒体。
（２１）
前記通知部は、前記第１のビームが選択された後に、前記端末装置が前記第２の参照信号を送信すべき前記第２のリソースを示す情報を前記端末装置に通知する、前記（７）〜（１２）のいずれか一項に記載の基地局
（２２）
前記通知部は、前記第１のビームが選択される前に、前記端末装置が前記第２の参照信号を送信すべき候補の前記第２のリソースを示す情報を前記端末装置に通知する、前記（７）〜（１２）のいずれか一項に記載の基地局
【符号の説明】
【０２４８】
１      システム
１１    セル
２０    コアネットワーク
３０    ＰＤＮ
１００    基地局
１１０    アンテナ部
１２０    無線通信部
１３０    ネットワーク通信部
１４０    記憶部
１５０    処理部
１５１    選択部
１５３    通知部
１５５    通信制御部
２００    端末装置
２１０    アンテナ部
２２０    無線通信部
２３０    記憶部
２４０    処理部
２４１    取得部
２４３    選択支援部
【図１】
2018107613.tif 000004
【図２】
2018107613.tif 000005
【図３】
2018107613.tif 000006
【図４】
2018107613.tif 000007
【図５】
2018107613.tif 000008
【図６】
2018107613.tif 000009
【図７】
2018107613.tif 000010
【図８】
2018107613.tif 000011
【図９】
2018107613.tif 000012
【図１０】
2018107613.tif 000013
【図１１】
2018107613.tif 000014
【図１２】
2018107613.tif 000015
【図１３】
2018107613.tif 000016
【図１４】
2018107613.tif 000017
【図１５】
2018107613.tif 000018
【図１６】
2018107613.tif 000019
【図１７】
2018107613.tif 000020
【図１８】
2018107613.tif 000021
【図１９】
2018107613.tif 000022
【図２０】
2018107613.tif 000023
【図２１】
2018107613.tif 000024
【図２２】
2018107613.tif 000025
【図２３】
2018107613.tif 000026
【図２４】
2018107613.tif 000027
【図２５】
2018107613.tif 000028
【図２６】
2018107613.tif 000029
【図２７】
2018107613.tif 000030
【図２８】
2018107613.tif 000031
【図２９】
2018107613.tif 000032
【図３０】
2018107613.tif 000033
【図３１】
2018107613.tif 000034